(57)【要約】【課題】収益性の向上を図るとともに、利用者の利便性を向上できる写真シール作成装置３、画像提供方法、及び画像提供プログラムを提供することを目的とする。【解決手段】利用者が撮影された合成画像を、配信サーバ４を介して利用者の携帯端末２に提供画像４１ａとして提供する写真シール作成装置３であって、取得可能枚数の提供画像４１ａの取得を所望する利用者による硬貨の投入、及び硬貨の追加投入を受付ける硬貨受付部１７と、取得可能枚数を増加するか否かを利用者に問い合わせる問合せ処理部と、利用者による取得可能枚数の増加の選択操作を受付けた場合、利用者による貨幣の追加投入を受付けたか否かを判定する追加貨幣投入判定処理部と、利用者による貨幣の追加投入を受付けた場合、現在の取得可能枚数を増加させて、新しい取得可能枚数とする取得枚数変更処理部とを備えたことを特徴とする。【選択図】図１０
2018173895.tif 000002
【特許請求の範囲】
【請求項１】
撮影空間内の利用者を被写体として撮影する撮影部と、
前記利用者が所有する所有端末に対して記憶している所定画像を提供画像として配信するサーバに、通信回線を介して接続する回線接続部と、
前記撮影部で前記利用者を複数回撮影して、複数の撮影画像を出力する撮影制御部と、
前記撮影画像に基づいて生成された前記所定画像に前記所有端末を特定する端末特定情報を関連付けて、前記サーバに送信する画像送信制御部とを備えた画像提供装置であって、
前記所有端末で取得可能な前記提供画像の枚数を取得可能枚数として、
該取得可能枚数の前記提供画像の取得を所望する前記利用者による貨幣の投入を受付ける第１貨幣受付部と、
前記利用者による貨幣の追加投入を受付ける第２貨幣受付部と、
前記取得可能枚数を増加するか否かを表示部に表示して、前記利用者に問い合わせる問合せ処理部と、
前記利用者による前記取得可能枚数の増加の選択操作を操作受付部で受付けた場合、前記利用者による前記貨幣の追加投入を、前記第２貨幣受付部で受付けたか否かを判定する追加貨幣投入判定処理部と、
前記利用者による前記貨幣の追加投入を受付けたと前記追加貨幣投入判定処理部が判定した場合、現在の前記取得可能枚数を増加させて、新しい取得可能枚数とする取得枚数変更処理部とを備えた
画像提供装置。
【請求項２】
前記撮影制御部が、Ｎ枚の前記撮影画像を生成する構成とし、
前記利用者が前記取得可能枚数の増加を選択しなかった場合における前記取得可能枚数を、前記撮影画像の枚数を示す前記Ｎ枚よりも少ないｎ枚として、
前記第１貨幣受付部、及び第２貨幣受付部を介した前記利用者による前記貨幣の投入を受付けたと前記追加貨幣投入判定処理部が判定した場合、前記取得枚数変更処理部が、ｎ＋１枚以上Ｎ枚以下を前記新しい取得可能枚数とする構成である
請求項１に記載の画像提供装置。
【請求項３】
前記新しい取得可能枚数がｎ＋１枚以上Ｎ枚以下の場合、前記新しい取得可能枚数からｎ枚を減算したｍ枚の前記所定画像を、前記撮影画像に基づいて生成されたＮ枚の前記所定画像から抽出決定する追加画像抽出処理部を備えた
請求項２に記載の画像提供装置。
【請求項４】
ｎ枚の前記所定画像を、前記撮影画像に基づいて生成されたＮ枚の前記所定画像から抽出決定する画像抽出処理部を備えた
請求項２または請求項３に記載の画像提供装置。
【請求項５】
前記撮影部による撮影の前に、前記利用者による撮影コースの選択を受付けるコース選択受付部を備え、
前記取得可能枚数、及び前記取得可能枚数の増加の可否が、前記撮影コースに関連付けられた
請求項１から請求項４のいずれか１つに記載の画像提供装置。
【請求項６】
前記問合せ処理部を、
前記取得可能枚数を増加するか否かを複数の前記利用者ごとに問い合わせる構成として、
前記第２貨幣受付部を介した前記利用者による前記貨幣の追加投入を受付けたと前記追加貨幣投入判定処理部が判定した場合、
前記取得枚数変更処理部が、前記取得可能枚数を前記利用者ごとに増加させる構成である
請求項１から請求項５のいずれか１つに記載の画像提供装置。
【請求項７】
前記サーバに送信される前記所定画像が、前記撮影画像である
請求項１から請求項６のいずれか１つに記載の画像提供装置。
【請求項８】
前記撮影画像における前記利用者の前景または／および背景に合成される複数の合成用画像を記憶する合成用画像記憶部と、
前記利用者による編集操作を受付ける編集操作受付部と、
前記利用者によって選択された前記合成用画像と前記撮影画像とを合成した合成画像を出力する合成画像出力処理部と、
前記利用者によって編集された前記撮影画像または前記合成画像を編集画像として出力する編集画像出力処理部とを備え、
前記サーバに送信される前記所定画像が、前記合成画像または／および前記編集画像である
請求項１から請求項７のいずれか１つに記載の画像提供装置。
【請求項９】
前記問合せ処理部が、前記撮影部による撮影後、前記取得可能枚数を増加するか否かを前記利用者に問い合わせる構成である
請求項１から請求項８のいずれか１つに記載の画像提供装置。
【請求項１０】
前記所定画像を印刷用紙に印刷する印刷部と、
前記取得可能枚数の前記所定画像を、前記印刷用紙に収まるように配置して、前記印刷部に印刷させる印刷処理部とを備えた
請求項１から請求項９のいずれか１つに記載の画像提供装置。
【請求項１１】
撮影空間内の利用者を被写体として撮影する撮影部と、前記利用者が所有する所有端末に対して記憶している所定画像を提供画像として配信するサーバに、通信回線を介して接続する回線接続部と、前記撮影部で前記利用者を複数回撮影して、複数の撮影画像を出力する撮影制御部と、前記撮影画像に基づいて生成された前記所定画像に前記所有端末を特定する端末特定情報を関連付けて、前記サーバに送信する画像送信制御部とを備えた画像提供装置を用いた画像提供方法であって、
前記所有端末で取得可能な前記提供画像の枚数を取得可能枚数として、該取得可能枚数の前記提供画像の取得するために第１貨幣受付部に貨幣を投入した前記利用者に対して、前記取得可能枚数を増加するか否かを表示部に表示して問い合わせる問合せ工程と、
前記利用者による前記取得可能枚数の増加の選択操作を操作受付部で受付けた場合、前記利用者による前記貨幣の追加投入を第２貨幣受付部で受付けたか否かを判定する追加貨幣投入判定工程と、
前記利用者による前記貨幣の追加投入を受付けたと前記追加貨幣投入判定処理部が判定した場合、現在の前記取得可能枚数を増加させて、新しい取得可能枚数とする取得枚数変更工程とを備えた
画像提供方法。
【請求項１２】
撮影空間内の利用者を被写体として撮影する撮影部と、前記利用者が所有する所有端末に対して記憶している所定画像を提供画像として配信するサーバに、通信回線を介して接続する回線接続部と、前記撮影部で前記利用者を複数回撮影して、複数の撮影画像を出力する撮影制御部と、前記撮影画像に基づいて生成された前記所定画像に前記所有端末を特定する端末特定情報を関連付けて、前記サーバに送信する画像送信制御部とを備えた画像提供装置で実行される画像提供プログラムであって、
前記所有端末で取得可能な前記提供画像の枚数を取得可能枚数として、
前記画像提供装置に、
前記取得可能枚数の前記提供画像の取得するために第１貨幣受付部に貨幣を投入した前記利用者に対して、前記取得可能枚数を増加するか否かを表示部に表示して問い合わせる問合せステップと、
前記利用者による前記取得可能枚数の増加の選択操作を操作受付部で受付けた場合、前記利用者による前記貨幣の追加投入を第２貨幣受付部で受付けたか否かを判定する追加貨幣投入判定ステップと、
前記利用者による前記貨幣の追加投入を受付けたと判定した場合、現在の前記取得可能枚数を増加させて、新しい取得可能枚数とする取得枚数変更ステップとを実行させる
画像提供プログラム。
【発明の詳細な説明】
【技術分野】
【０００１】
この発明は、例えば利用者が被写体となった撮影画像を、利用者が所有する携帯端末に通信回線を介して提供するような画像提供装置、画像提供方法、及び画像提供プログラムに関する。
【背景技術】
【０００２】
従来、利用者が被写体となって自らの操作で撮影した撮影画像を、印刷用紙に印刷して利用者に提供する画像提供装置として、例えば、証明写真を利用者に提供する証明写真機、あるいは撮影画像などを印刷した写真シールを利用者に提供する写真シール作成装置がある。  
さらに、昨今では、撮影画像を印刷用紙に印刷して利用者に提供するのではなく、利用者が所有する携帯端末に通信回線を介して、撮影した画像データを提供するものもある。
【０００３】
ところで、上述した写真シール作成装置では、複数の利用者が被写体となって１回の遊技が行われ、複数の撮影画像が印刷された１枚の写真シールが１回の遊技に対する印刷物として提供される。この場合、１枚の写真シールを複数の利用者で分割するため、分割した写真シールが利用者全員にいきわたらないことがあった。
【０００４】
そこで、例えば、特許文献１のように、１枚目の写真シールを印刷完了後、２枚目の写真シールを印刷するか否かを利用者に対して問い合わせて、２枚目の写真シールを利用者が所望する場合、２枚目の写真シールを印刷して利用者に提供することで、複数の利用者に写真シールを提供することが考えらえる。
【０００５】
この際、特許文献１では、２枚目の写真シールの取得を所望する利用者に対して追加課金を要求し、課金された場合に２枚目の写真シールを印刷して利用者に提供している。これにより、写真シール作成装置は、収益性を向上できる一方で、利便性の向上を図っている。
【０００６】
しかしながら、特許文献１のような写真シール作成装置において、１枚目の写真シールの印刷完了後、２枚目の写真シールを印刷するか否かを問い合わせる場合、利用者が遊技を開始してから全ての写真シールを取得するまでに要する時間が長くなる。このため、写真シール作成装置を利用したい利用者が遊技を開始できず、写真シール作成装置の回転率が低下するという問題があった。
【０００７】
さらに、写真シール作成装置には、映画館やコンサート会場などの設置場所に応じた限定的なキャラクター画像や人物画像と、利用者を撮影した撮影画像を合成した写真シールを提供するものがある。このような写真シール作成装置では、写真シールのコレクション性が高くなるため、集客効果を得やすいという利点がある。
【０００８】
ところが、上述したように回転率の悪い画像提供装置の場合、集客効果に比例して利用者がより長時間待たされるため、利用者の利便性が低下するだけでなく、集客効果に応じた収益を見込めないおそれがあった。
【先行技術文献】
【特許文献】
【０００９】
【特許文献１】特開２０００−２６７１５６号公報
【発明の概要】
【発明が解決しようとする課題】
【００１０】
本発明は、上述した問題に鑑み、収益性の向上を図るとともに、利用者の利便性を向上できる画像提供装置、画像提供方法、及び画像提供プログラムを提供することを目的とする。
【課題を解決するための手段】
【００１１】
この発明は、撮影空間内の利用者を被写体として撮影する撮影部と、前記利用者が所有する所有端末に対して記憶している所定画像を提供画像として配信するサーバに、通信回線を介して接続する回線接続部と、前記撮影部で前記利用者を複数回撮影して、複数の撮影画像を出力する撮影制御部と、前記撮影画像に基づいて生成された前記所定画像に前記所有端末を特定する端末特定情報を関連付けて、前記サーバに送信する画像送信制御部とを備えた画像提供装置であって、前記所有端末で取得可能な前記提供画像の枚数を取得可能枚数として、該取得可能枚数の前記提供画像の取得を所望する前記利用者による貨幣の投入を受付ける第１貨幣受付部と、前記利用者による貨幣の追加投入を受付ける第２貨幣受付部と、前記取得可能枚数を増加するか否かを表示部に表示して、前記利用者に問い合わせる問合せ処理部と、前記利用者による前記取得可能枚数の増加の選択操作を操作受付部で受付けた場合、前記利用者による前記貨幣の追加投入を、前記第２貨幣受付部で受付けたか否かを判定する追加貨幣投入判定処理部と、前記利用者による前記貨幣の追加投入を受付けたと前記追加貨幣投入判定処理部が判定した場合、現在の前記取得可能枚数を増加させて、新しい取得可能枚数とする取得枚数変更処理部とを備えたことを特徴とする。
【００１２】
またこの発明は、撮影空間内の利用者を被写体として撮影する撮影部と、前記利用者が所有する所有端末に対して記憶している所定画像を提供画像として配信するサーバに、通信回線を介して接続する回線接続部と、前記撮影部で前記利用者を複数回撮影して、複数の撮影画像を出力する撮影制御部と、前記撮影画像に基づいて生成された前記所定画像に前記所有端末を特定する端末特定情報を関連付けて、前記サーバに送信する画像送信制御部とを備えた画像提供装置を用いた画像提供方法であって、前記所有端末で取得可能な前記提供画像の枚数を取得可能枚数として、該取得可能枚数の前記提供画像の取得するために第１貨幣受付部に貨幣を投入した前記利用者に対して、前記取得可能枚数を増加するか否かを表示部に表示して問い合わせる問合せ工程と、前記利用者による前記取得可能枚数の増加の選択操作を操作受付部で受付けた場合、前記利用者による前記貨幣の追加投入を第２貨幣受付部で受付けたか否かを判定する追加貨幣投入判定工程と、前記利用者による前記貨幣の追加投入を受付けたと前記追加貨幣投入判定処理部が判定した場合、現在の前記取得可能枚数を増加させて、新しい取得可能枚数とする取得枚数変更工程とを備えたことを特徴とする。
【００１３】
またこの発明は、撮影空間内の利用者を被写体として撮影する撮影部と、前記利用者が所有する所有端末に対して記憶している所定画像を提供画像として配信するサーバに、通信回線を介して接続する回線接続部と、前記撮影部で前記利用者を複数回撮影して、複数の撮影画像を出力する撮影制御部と、前記撮影画像に基づいて生成された前記所定画像に前記所有端末を特定する端末特定情報を関連付けて、前記サーバに送信する画像送信制御部とを備えた画像提供装置で実行される画像提供プログラムであって、前記所有端末で取得可能な前記提供画像の枚数を取得可能枚数として、前記画像提供装置に、前記取得可能枚数の前記提供画像の取得するために第１貨幣受付部に貨幣を投入した前記利用者に対して、前記取得可能枚数を増加するか否かを表示部に表示して問い合わせる問合せステップと、前記利用者による前記取得可能枚数の増加の選択操作を操作受付部で受付けた場合、前記利用者による前記貨幣の追加投入を第２貨幣受付部で受付けたか否かを判定する追加貨幣投入判定ステップと、前記利用者による前記貨幣の追加投入を受付けたと判定した場合、現在の前記取得可能枚数を増加させて、新しい取得可能枚数とする取得枚数変更ステップとを実行させることを特徴とする。
【００１４】
上記所定画像は、所有端末に提供するために生成された画像であって、撮影画像、撮影画像に変形などの特殊効果を加えた画像、撮影画像と合成用画像とを合成した合成画像、利用者による操作によって落書きなどの編集が行われた編集画像、複数の撮影画像を１枚の印刷用紙に収まるように配置した印刷画像などとすることができる。  
さらに、上記取得可能枚数の提供画像は、同一の所定画像で構成された取得可能枚数の提供画像、異なる所定画像で構成された取得可能枚数の提供画像、またはこれらが混在した取得可能枚数の提供画像とすることができる。
【００１５】
上記端末特定情報は、例えば、メールアドレスなどとすることができる。  
上記貨幣は、硬貨、紙幣、あるいは電子取引で用いられる電子貨幣や仮想紙幣などとすることができる。  
上記第２貨幣受付部は、第１貨幣受付部と同一の貨幣受付部、あるいは第１貨幣受付部とは異なる貨幣受付部とすることができる。
【００１６】
この発明により、画像提供装置、画像提供方法、及び画像提供プログラムは、より多くの提供画像の取得を所望する利用者が追加課金をした場合に、所有端末に提供される提供画像の取得可能枚数を増加させることができる。
【００１７】
このため、画像提供装置、画像提供方法、及び画像提供プログラムは、より多くの提供画像の取得を所望する利用者に対する利便性を向上することができる。一方で、より多くの提供画像の取得を所望しない利用者に対して、画像提供装置、画像提供方法、及び画像提供プログラムは、１回の利用を安価に提供することできる。
【００１８】
さらに、例えば、追加課金を受付けて利用者に提供する印刷物の枚数を増加させる場合、印刷に要する時間によって１回の利用時間が長くなるのに対して、画像提供装置、画像提供方法、及び画像提供プログラムは、提供画像の取得可能枚数を容易に増加させることができるため、１回の利用時間が長くなることを抑えることができる。
【００１９】
これにより、画像提供装置、画像提供方法、及び画像提供プログラムは、回転率の低下を抑えることができ、利用者の利便性をより向上することができる。加えて、回転率の低下を抑えることで、より多くの提供画像の取得を所望する利用者の増加を期待できるため、画像提供装置、画像提供方法、及び画像提供プログラムは、追加課金による収益の向上を期待することができる。
【００２０】
従って、画像提供装置、画像提供方法、及び画像提供プログラムは、利用者による追加課金を受付けて、利用者の所有端末に提供される提供画像の取得可能枚数を増加させることで、収益性の向上を図るとともに、利用者の利便性を向上することができる。
【００２１】
この発明の態様として、前記撮影制御部が、Ｎ枚の前記撮影画像を生成する構成とし、前記利用者が前記取得可能枚数の増加を選択しなかった場合における前記取得可能枚数を、前記撮影画像の枚数を示す前記Ｎ枚よりも少ないｎ枚として、前記第１貨幣受付部、及び第２貨幣受付部を介した前記利用者による前記貨幣の投入を受付けたと前記追加貨幣投入判定処理部が判定した場合、前記取得枚数変更処理部が、ｎ＋１枚以上Ｎ枚以下を前記新しい取得可能枚数とする構成である。  
上記ｎ枚は、１枚以上、かつ撮影画像の枚数を示すＮ枚よりも少ない枚数とする。
【００２２】
この発明により、画像提供装置は、利用者による追加課金の有無に関わらず、ｎ枚の提供画像を常に利用者の所有端末に提供することができる。さらに、より多くの提供画像の取得を所望する利用者に対して、画像提供装置は、利用者による追加課金を受付けることで、ｎ＋１枚以上Ｎ枚以下の提供画像を利用者の所有端末に提供することができる。
【００２３】
一方で、画像提供装置は、より多くの提供画像の取得を所望しない利用者に、必要以上の提供画像が提供されることを防止できる。これにより、画像提供装置は、利用者のニーズにより応じた取得可能枚数の提供画像を、利用者の所有端末に提供することができる。
【００２４】
従って、画像提供装置は、利用者による追加課金の有無に関わらずｎ枚の提供画像を所有端末に提供し、利用者による追加課金を受付けた場合、ｎ＋１枚以上Ｎ枚以下の取得可能枚数の提供画像を所有端末に提供することで、利用者の利便性をより向上することができる。
【００２５】
またこの発明の態様として、前記新しい取得可能枚数がｎ＋１枚以上Ｎ枚以下の場合、前記新しい取得可能枚数からｎ枚を減算したｍ枚の前記所定画像を、前記撮影画像に基づいて生成されたＮ枚の前記所定画像から抽出決定する追加画像抽出処理部を備えたものである。  
この発明により、画像提供装置は、回転率の低下を抑えて収益性の向上を図ることができる。
【００２６】
具体的には、ｍ枚の所定画像がＮ枚の所定画像から利用者によって選択決定される場合、利用者が、Ｎ枚の所定画像からｍ枚の所定画像を迷いながら選択決定し易くなる。このため、ｍ枚の所定画像が決定されるまでに要する時間が長くなり、画像提供装置の回転率が低下するおそれがある。
【００２７】
これに対して、画像提供装置の追加画像抽出処理部が、ｍ枚の所定画像を抽出決定するため、画像提供装置は、ｍ枚の所定画像が決定されるまでに要する時間を短縮することができる。これにより、画像提供装置は、利用者による追加課金を受付けたことによる回転率の低下を抑えることができる。
【００２８】
さらに、例えば、Ｎ枚の所定画像からｍ枚の所定画像をランダムに決定する様子を表示部に表示することで、画像提供装置は、利用者をより楽しませることができる。  
従って、画像提供装置は、利用者による追加課金を受付けた場合、Ｎ枚の所定画像からｍ枚の所定画像を抽出決定する追加画像抽出処理部により、回転率の低下を抑えて収益性の向上を図ることができる。
【００２９】
またこの発明の態様として、ｎ枚の前記所定画像を、前記撮影画像に基づいて生成されたＮ枚の前記所定画像から抽出決定する画像抽出処理部を備えたものである。  
この発明により、画像提供装置は、回転率の低下をより抑えて収益性の向上を図ることができる。
【００３０】
具体的には、追加課金の有無に関わらず利用者の所有端末に提供画像として提供されるｎ枚の所定画像がＮ枚の所定画像から利用者によって選択決定される場合、利用者が、Ｎ枚の所定画像からｎ枚の所定画像を迷いながら選択決定し易くなる。このため、ｎ枚の所定画像が決定されるまでに要する時間が長くなり、画像提供装置の回転率が低下するおそれがある。
【００３１】
これに対して、追加課金の有無に関わらず利用者の所有端末に提供画像として提供されるｎ枚の所定画像を画像抽出処理部が抽出決定するため、画像提供装置は、ｎ枚の所定画像が決定されるまでに要する時間を短縮することができる。これにより、画像提供装置は、回転率の低下を抑えることができる。
【００３２】
さらに、画像抽出処理部がｎ枚の所定画像をＮ枚の所定画像から抽出決定することで、画像提供装置は、利用者が所望する所定画像と、利用者が所望しない所定画像とを混在させて抽出決定することができる。このため、選択されなかった所定画像を取得したい利用者の増加を期待できるため、画像提供装置は、追加課金による収益の向上を期待することができる。
【００３３】
加えて、例えば、Ｎ枚の所定画像からｎ枚の所定画像を画像提供装置がランダムに抽出決定する様子を表示部に表示することで、画像提供装置は、ｎ枚の所定画像の決定を待つ利用者をより楽しませることができる。  
従って、画像提供装置は、追加課金の有無に関わらず利用者の所有端末に提供画像として提供されるｎ枚の所定画像をＮ枚の所定画像から抽出決定する画像抽出処理部により、回転率の低下をより抑えて収益性の向上を図ることができる。
【００３４】
またこの発明の態様として、前記撮影部による撮影の前に、前記利用者による撮影コースの選択を受付けるコース選択受付部を備え、前記取得可能枚数、及び前記取得可能枚数の増加の可否が、前記撮影コースに関連付けられたものである。
【００３５】
この発明により、画像提供装置は、回転率の向上をより図ることができるとともに、利用者の利便性をさらに向上させることができる。  
具体的には、例えば、取得可能枚数だけが異なる複数の撮影コースを設定することで、画像提供装置は、所望する枚数の撮影コースを選択した利用者が、追加課金を行う手間を省くことができる。
【００３６】
あるいは、取得画像枚数の増加を所望しない利用者のニーズに応じて、取得可能枚数の増加を受付けない撮影コースを設定することで、画像提供装置は、取得可能枚数を増加するか否かの問い合わせや、第２貨幣受付部による貨幣の受付けを不要にすることができる。
【００３７】
従って、画像提供装置は、取得可能枚数、及び取得可能枚数の増加の可否を撮影コースに関連付けたことにより、回転率の向上をより図ることができるとともに、利用者の利便性をさらに向上させることができる。
【００３８】
またこの発明の態様として、前記問合せ処理部を、前記取得可能枚数を増加するか否かを複数の前記利用者ごとに問い合わせる構成として、前記第２貨幣受付部を介した前記利用者による前記貨幣の追加投入を受付けたと前記追加貨幣投入判定処理部が判定した場合、前記取得枚数変更処理部が、前記取得可能枚数を前記利用者ごとに増加させる構成である。
【００３９】
この発明により、画像提供装置は、例えば、より多くの枚数の提供画像を所望する利用者と、多くの枚数の提供画像を所望しない利用者とが同時に利用した場合であっても、各利用者のニーズに対応することができる。これにより、画像提供装置は、複数の利用者に対する利便性を向上することができる。
【００４０】
またこの発明の態様として、前記サーバに送信される前記所定画像が、前記撮影画像である。  
この発明により、画像提供装置は、利用者の利便性を損なうことなく、利用が制限された画像の不正使用を防止することができる。
【００４１】
具体的には、例えば、写真シール作成装置では、利用者を撮影した撮影画像に、キャラクター画像や人物画像などの合成用画像を合成した写真シールを提供しているものがある。このようなキャラクター画像や人物画像などの合成用画像は、デジタルコンテンツとして権利者から提供されていることが多いため、合成用画像の提供元からの要望によって、その利用に関して厳しく制限されていることがある。
【００４２】
そこで、サーバに送信される所定画像を撮影画像としたことにより、画像提供装置は、少なくとも利用者を撮影した撮影画像を提供画像として提供する一方で、利用が制限された画像が所有端末に提供されることを防止できる。  
従って、画像提供装置は、サーバに送信される所定画像を撮影画像としたことにより、利用者の利便性を損なうことなく、利用が制限された画像の不正使用を防止することができる。
【００４３】
またこの発明の態様として、前記撮影画像における前記利用者の前景または／および背景に合成される複数の合成用画像を記憶する合成用画像記憶部と、前記利用者による編集操作を受付ける編集操作受付部と、前記利用者によって選択された前記合成用画像と前記撮影画像とを合成した合成画像を出力する合成画像出力処理部と、前記利用者によって編集された前記撮影画像または前記合成画像を編集画像として出力する編集画像出力処理部とを備え、前記サーバに送信される前記所定画像が、前記合成画像または／および前記編集画像である。
【００４４】
この発明により、画像提供装置は、利用者を撮影しただけの撮影画像を提供画像とした場合に比べて、利用者にとって付加価値の高い提供画像を、利用者の所有端末に提供できるとともに、より集客効果を得ることができる。
【００４５】
さらに、画像提供装置は、利用者にとって付加価値の高い提供画像を利用者の所有端末に提供することで、追加課金に抵抗感のある利用者であっても、提供画像の取得をより所望させることができる。  
これにより、より多くの提供画像の取得を所望する利用者の増加を期待できるため、画像提供装置は、追加課金による収益の向上を期待することができる。
【００４６】
従って、画像提供装置は、サーバに送信される所定画像を合成画像または／および編集画像としたことにより、集客効果、及び追加課金による収益性の向上を図るとともに、利用者の利便性をより向上することができる。
【００４７】
またこの発明の態様として、前記問合せ処理部が、前記撮影部による撮影後、前記取得可能枚数を増加するか否かを前記利用者に問い合わせる構成である。  
この発明により、画像提供装置は、撮影開始後に、取得可能枚数の増加を希望する利用者のニーズに容易に対応することができる。
【００４８】
さらに、例えば、撮影画像を表示部に表示することで、画像提供装置は、撮影画像の出来栄えに応じて、取得可能枚数の増加を利用者に決定させることができる。  
これにより、より多くの提供画像の取得を所望する利用者の増加を期待できるため、画像提供装置は、追加課金による収益の向上を期待することができる。  
従って、画像提供装置は、撮影部による撮影後、取得可能枚数の増加の可否を問い合わせることにより、収益性の向上を図るとともに、利用者の利便性をより向上することができる。
【００４９】
またこの発明の態様として、前記所定画像を印刷用紙に印刷する印刷部と、前記取得可能枚数の前記所定画像を、前記印刷用紙に収まるように配置して、前記印刷部に印刷させる印刷処理部とを備えたものである。  
上記印刷用紙は、写真シール用の印刷用紙、あるいは証明写真用の印刷用紙などとすることができる。
【００５０】
この発明により、画像提供装置は、所有端末で取得できる提供画像だけでなく、所定画像が印刷された印刷物を、利用者に取得させることができる。このため、画像提供装置は、より集客効果を得ることができる。
【００５１】
さらに、画像提供装置は、利用者による追加課金を受付けた場合、所有端末に提供される提供画像の枚数だけでなく、印刷用紙に印刷される所定画像の枚数を増加することができる。これにより、画像提供装置は、追加課金によって利用者が取得できるものを増やすことができる。
【００５２】
従って、画像提供装置は、取得可能枚数に応じた枚数の所定画像を印刷用紙に印刷させる印刷処理部により、集客効果による収益性の向上を図るとともに、利用者の利便性をより向上することができる。
【発明の効果】
【００５３】
本発明により、収益性の向上を図るとともに、利用者の利便性を向上できる画像提供装置、画像提供方法、及び画像提供プログラムを提供することができる。
【図面の簡単な説明】
【００５４】
【図１】写真シール作成システムにおける構成を示す構成図。
【図２】写真シール作成装置における上方からの外観を示す外観斜視図。
【図３】前部ユニットにおける利用者と対面する面の構成を示す前部ユニット正面図。
【図４】写真シール作成システムにおける内部構成を示すブロック図。
【図５】写真シール作成装置における内部構成を示すブロック図。
【図６】コース情報テーブルの構成を示す構成図。
【図７】１回の遊技における写真シール作成装置の動作を示すフローチャート。
【図８】撮影処理における動作を示すフローチャート。
【図９】印刷画像作成処理における動作を示すフローチャート。
【図１０】追加課金処理における動作を示すフローチャート。
【図１１】硬貨投入される前に表示される画面を示す待機画面。
【図１２】撮影コースの選択を促す画面を示すコース選択画面。
【図１３】二次元コードの提示を促す画面を示す二次元コード提示画面。
【図１４】合成用画像の選択を促す画面を示す合成用画像選択画面。
【図１５】利用者が撮影された合成画像の確認を促す画面を示す画像確認画面。
【図１６】シール紙に印刷される合成画像の選択を促す画面を示す合成画像選択画面。
【図１７】印刷レイアウトの選択を促す画面を示すレイアウト選択画面。
【図１８】残りの合成画像の携帯端末への送信を問い合わせる画面を示す問合せ画面。
【図１９】合成画像に対する編集操作を受付ける画面を示す編集画面。
【図２０】メールアドレスの入力を促す画面を示すアドレス入力画面。
【図２１】配信サーバと携帯端末との間における動作を示すシーケンス図。
【図２２】実施例２におけるコース情報テーブルの構成を示す構成図。
【図２３】実施例２における写真シール作成装置の動作を示すフローチャート。
【図２４】実施例２における印刷画像作成処理の動作を示すフローチャート。
【図２５】実施例２における追加課金処理の動作を示すフローチャート。
【図２６】別の写真シール作成装置の外観を示す外観斜視図。
【図２７】撮影ユニットにおける利用者と対面する部分の構成を示す外観斜視図。
【図２８】編集ユニットの正面構成を示す正面図。
【図２９】事後接客ユニットの正面構成を示す正面図。
【図３０】別の写真シール作成装置における利用者の移動空間を説明する説明図。
【図３１】別の写真シール作成装置における内部構成を示すブロック図。
【発明を実施するための形態】
【００５５】
この発明の一実施形態を以下図面と共に説明する。  
【実施例１】
【００５６】
まず、本実施形態に用いる写真シール作成システム１について図１から図３を用いて説明する。  
なお、図１は写真シール作成システム１における構成図を示し、図２は写真シール作成装置３における上方からの外観斜視図を示し、図３は前部ユニット３ａにおける利用者と対面する面の前部ユニット正面図を示している。  
また、図２において、図中の右方向を写真シール作成装置３の前方とし、図中の左方向を写真シール作成装置３の後方とする。
【００５７】
写真シール作成システム１は、図１に示すように、利用者が所有する携帯電話、タブレット端末、あるいはノートパソコンなどの携帯端末２と、利用者を被写体として撮影する写真シール作成装置３と、携帯端末２に画像を提供する配信サーバ４とが、通信回線５を介して相互に接続されている。
【００５８】
写真シール作成装置３は、図２に示すように、例えば、映画館などに設置され、利用者が硬貨を投入して実際に撮影を行う、撮影した画像に対する編集を行う、所謂、撮影編集ブースである。より詳しくは、写真シール作成装置３は、利用者と対面する前部ユニット３ａと、前部ユニット３ａに対して前後方向に所定の間隔を介して配置した後部ユニット３ｂとを、前後方向で連結して構成している。さらに、写真シール作成装置３は、前部ユニット３ａ、及び後部ユニット３ｂで囲まれた空間を撮影空間Ｓとして構成している。
【００５９】
前部ユニット３ａにおける利用者と対面する部分は、図３に示すように、略中央よりもやや上方において、撮影空間Ｓ（後部ユニット３ｂ）に向けて配置されたカメラ１１と、カメラ１１の上方、及び左右両側に配置された照明装置１２と、カメラ１１の下方に配置されたライブビューモニタ１３と、照明装置１２（後述する下部傘状ストロボ１２ｃ）の下方に配置された一対のスピーカ１４と、ライブビューモニタ１３の下方に配置されたタブレット内蔵モニタ１５、及び一対のタッチペン１６とで構成されている。
【００６０】
なお、照明装置１２は、カメラ１１の上方に配置された上部中央ストロボ１２ａと、上部中央ストロボ１２ａの左右両側にそれぞれ配置された２つの上部傘状ストロボ１２ｂと、上部傘状ストロボ１２ｂの下方に配置された２つの下部傘状ストロボ１２ｃで構成されている。この上部中央ストロボ１２ａ、２つの上部傘状ストロボ１２ｂ、及び２つの下部傘状ストロボ１２ｃは、いずれも撮影空間Ｓ（後部ユニット３ｂ）に向けて配置されている。
【００６１】
さらに、前部ユニット３ａは、図２及び図３に示すように、利用者が投入する硬貨を受付ける硬貨受付部１７を利用者と対面する面の右側下方に備えるとともに、写真シールが排出される写真シール排出口１８を右側面に備えている。
【００６２】
また、後部ユニット３ｂは、図２に示すように、撮影空間Ｓを挟んで前部ユニット３ａに対面するように、写真シール作成装置３の後部に配置されている。この後部ユニット３ｂは、前部ユニット３ａと対面する部分が、利用者が実際に撮影する際の背景としての機能を有するユニットである。  
さらに、後部ユニット３ｂは、広告用モニタ１９と、一組のスピーカ２０と、ポスターなどの紙媒体を掲示する掲示部２１とを背面に備えるとともに、背景カーテンユニット２２を上部に備えている。
【００６３】
背景カーテンユニット２２は、図２に示すように、後部ユニット３ｂにおける撮影空間Ｓ側の上部に配置され、モータ駆動（図示省略）によって昇降するロール状の背景カーテン（図示省略）を内部に収容している。この背景カーテンは、クロマキー合成による合成画像を撮影する際の背景となる単一色のカーテンである。
【００６４】
また、配信サーバ４は、写真シール作成装置３から取得した画像（後述する合成画像）を、専用のウェブサイトを介して利用者の携帯端末２に提供画像として提供するためのサーバであって、写真シール作成装置３が設置された場所とは離れた遠隔地に設置されている。この配信サーバ４は、写真シール作成装置３との間において、画像データや音声データであるコンテンツデータ、及び写真シール作成装置３の利用実績データなどの各種情報の受け渡しを行う機能も有している。  
なお、コンテンツデータの画像データとしては、写真シール作成装置３から取得した撮影画像、合成画像、編集画像、あるいは印刷画像などの画像データ、及び写真シール作成装置３へ提供される合成用画像や落書きなどの編集に用いるスタンプなどの画像データなどとする。一方、コンテンツデータの音声データとしては、遊技の進行に応じた操作案内に関する音声データ、広告用モニタ１９に表示される動画像に対応する音声データなどとする。
【００６５】
引き続き、上述した写真シール作成システム１における配信サーバ４、及び写真シール作成装置３の内部構成と、各機能とについて、図４から図６を用いてより詳しく説明する。  
なお、図４は写真シール作成システム１における内部構成のブロック図を示し、図５は写真シール作成装置３における内部構成のブロック図を示し、図６はコース情報テーブル２４ｂの構成図を示している。
【００６６】
写真シール作成装置３は、図４に示すように、撮影に関する機能ブロックである撮影部３１と、編集に関する機能ブロックである編集部３２と、撮影後の利用者への接客に関する機能ブロックである事後接客部３３と、広告表示に関する機能ブロックである広告部３４と、通信部２３と、記憶部２４と、ドライブ２５と、ＲＯＭ２６と、ＲＡＭ２７と、これらの動作を制御する制御部３０とで構成されている。
【００６７】
撮影に関する機能ブロックである撮影部３１は、図５に示すように、前部ユニット３ａに設けた硬貨受付部１７、背景カーテンユニット２２、照明装置１２、カメラ１１、ライブビューモニタ１３、及びスピーカ１４で構成され、それぞれ所定のバスを介して制御部３０に接続されている。
【００６８】
硬貨受付部１７は、遊技の開始を所望する利用者による硬貨の投入を受付ける受付部としての機能と、携帯端末２に提供される画像の取得可能枚数を増加させるために利用者による硬貨の投入を受付ける受付部として機能とを有している。より詳しくは、硬貨受付部１７は、制御部３０から起動信号にしたがって、硬貨が投入される投入口を開放して、利用者による硬貨の投入を受付ける機能と、投入された硬貨の種類、及び枚数を識別して、識別結果を制御部３０に送信する機能とを有している。
【００６９】
背景カーテンユニット２２は、制御部３０からの背景制御信号にしたがって、背景カーテンを昇降させて、利用者を被写体として撮影する際の背景を変更する機能を有している。  
照明装置１２は、制御部３０からの照明制御信号にしたがって、上部中央ストロボ１２ａ、上部傘状ストロボ１２ｂ、及び下部傘状ストロボ１２ｃが、それぞれ撮影タイミングにあわせて発光して撮影空間Ｓ内を照明する機能を有している。
【００７０】
カメラ１１は、制御部３０からのシャッタ信号にしたがって、撮影空間Ｓの利用者を被写体として撮影する機能と、利用者が所有する二次元コードを被写体として撮影する機能と、被写体が撮像された動画像データを制御部に送信する機能とを有している。
【００７１】
なお、二次元コードは、例えば、写真シール作成装置３が設置された映画館を利用した利用者に対して、映画館が配布した二次元コードである。この二次元コードは、映画館で上映されている映画に登場するキャラクターの画像を、後述する合成用画像として選択可能にする、あるいは写真シール作成装置３の利用を安価にするためのものである。
【００７２】
ライブビューモニタ１３は、制御部３０からのＲＧＢ信号にしたがって、カメラ１１が撮影した被写体の映像を、後述する合成用画像とともに表示する機能と、異常の通知や各種設定画面を表示する機能を有している。  
スピーカ１４は、制御部３０からの音声信号にしたがって、遊戯の進行を案内する音声、及びタブレット内蔵モニタ１５を用いた各種操作案内の音声などを出力する機能を有している。
【００７３】
編集に関する機能ブロックである編集部３２は、図５に示すように、前部ユニット３ａに設けたタブレット内蔵モニタ１５、及び１対のタッチペン１６で構成され、それぞれ所定のバスを介して制御部３０に接続されている。  
タブレット内蔵モニタ１５は、利用者に対して各種情報を表示する表示部としての機能と、利用者による各種操作を受付ける操作受付部としての機能とを有している。
【００７４】
より詳しくは、タブレット内蔵モニタ１５は、制御部３０からの信号にしたがって、遊戯にかかる利用者の各種操作を受け付ける機能と、遊戯の進行を案内する操作案内メッセージなどを表示する機能と、利用者による落書きなどの編集作業を受け付ける機能と、利用者による操作を受付けたことを示す情報を制御部３０に送信する機能とを有している。
【００７５】
このタブレット内蔵モニタ１５は、編集用モニタ１５ａと、タブレット１５ｂとで構成されている。  
編集用モニタ１５ａは、制御部３０の指示により、撮影画像やデモ画面及び広告などを表示する機能を有している。  
タブレット１５ｂは、利用者がタッチペン１６を用いてタブレット内蔵モニタ１５をタップした際、タッチペン１６がタップされた位置を示す位置情報を取得して、制御部３０に位置情報を送信する機能を有している。
【００７６】
撮影後の利用者への接客に関する機能ブロックである事後接客部３３は、図５に示すように、所定のバスを介して制御部３０に接続されたプリンタ２８と、所定のバスを介してプリンタ２８に接続されたシール紙ユニット２９とで構成されている。
【００７７】
プリンタ２８は、制御部３０からの印刷データにしたがって、利用者を撮影した撮影画像から作成した印刷画像を、シール紙ユニット２９に備えられているシール紙２９ａに印刷する機能と、シール紙２９ａを写真シール排出口１８に排出する機能とを有している。  
シール紙ユニット２９は、印刷画像が印刷されるシール紙２９ａを収納する機能と、プリンタ２８からの指示にしたがって、シール紙２９ａをプリンタ２８に送り出す機能とを有している。
【００７８】
広告表示に関する機能ブロックである広告部３４は、後部ユニット３ｂに設けた広告用モニタ１９、及びスピーカ２０で構成され、それぞれ所定のバスを介して制御部３０に接続されている。  
広告用モニタ１９は、制御部３０からのＲＧＢ信号にしたがって、順番を待つ利用者、あるいは写真シール作成装置３の利用を検討している利用者などに対して、各種広告を表示する機能を有している。
【００７９】
なお、広告用モニタ１９には、後述する合成用画像にちなんだ内容の広告、写真シール作成装置３が設定された施設に応じた広告、写真シール作成装置３の新しい機能を紹介する広告、あるいはニュース映像など順番を待つ利用者に有益な広告以外の各種動画像などが表示される。
【００８０】
スピーカ２０は、制御部３０からの音声信号にしたがって、広告用モニタ１９に表示される画面に応じた音声を、画面の進行に連動して出力する機能を有している。このような構成の広告部３４によって、写真シール作成装置３は、より高い集客効果を得ることができる。  
通信部２３は、図５に示すように、通信回線５を介して配信サーバ４と通信するＬＡＮカード等の通信装置で構成し、通信回線５を介して配信サーバ４と各種情報の受け渡しを行う機能を有している。
【００８１】
記憶部２４は、図５に示すように、ハードディスクや不揮発性メモリなどの記憶装置で構成され、制御部３０の指示によって、各種情報を記憶する機能と、制御部３０の指示によって各種情報を読み出して制御部３０に出力する機能とを有している。  
この記憶部２４には、編集部３２で使用される編集ツールのデータ、照明設定データ、広告用モニタ１９に表示する広告データ、及びプレイ時間設定データなどの各種データが記憶されている。
【００８２】
さらに、記憶部２４には、映画館で配布された二次元コードを用いた認証のためのコード認証情報２４ａと、利用者を撮影した撮影画像に合成される複数の合成用画像と、利用者によって選択される撮影コースごとの各種情報が登録されたコース情報テーブル２４ｂとが記憶されている。
【００８３】
なお、記憶部２４には、合成用画像として、利用者の前景または／および背景に合成される画像データであって、利用者が選択した撮影コースに関わらず使用される通常合成用画像２４ｃと、映画館で配布された二次元コードを用いた認証が必要な撮影コースで使用される二次元コード対応合成用画像２４ｄとが記憶されている。  
この二次元コード対応合成用画像は、キャラクター画像、あるいは人物画像などのデジタルコンテンツであって、デジタルコンテンツにかかる様々な権利が提供元にある画像とする。
【００８４】
コース情報テーブル２４ｂは、図６に示すように、撮影コース欄、コード認証欄、編集欄、撮影料金欄、撮影枚数欄、シール画像枚数欄、携帯配信枚数欄、追加料金欄、及び携帯配信追加枚数欄で構成され、各欄に登録された各種情報が、撮影コース欄に登録された各撮影コースに関連付けて登録されている。
【００８５】
具体的には、コード認証欄には、図６に示すように、例えば、写真シール作成装置３が設置された映画館で発行された二次元コードを用いて、映画館で上映されている映画の内容に応じた二次元コード対応合成用画像２４ｄの利用を許容するために、二次元コードを用いた認証が有効か無効かを示す情報が登録されている。
【００８６】
編集欄には、利用者を撮影した撮影画像、または撮影画像に合成用画像を合成した合成画像に対して、利用者による落書きなどの編集を許容する場合、有効を示す情報が登録され、利用者による落書きなどの編集を許容しない場合、無効を示す情報が登録されている。
【００８７】
撮影料金欄には、写真シール作成ゲームを所望する利用者が最初に支払う料金を示す情報が登録されている。  
撮影枚数欄には、撮影料金欄に登録された料金で、写真シール作成装置３が取得する利用者を被写体とした画像の枚数を示す情報が登録されている。  
シール画像枚数欄には、撮影料金欄に登録された料金で、シール紙２９ａに印刷可能な画像の枚数を示す情報が登録されている。
【００８８】
携帯配信枚数欄には、撮影料金欄に登録された料金で、携帯端末２が取得できる画像の取得可能枚数を示す情報が登録されている。  
携帯配信追加枚数欄には、携帯端末２が取得できる画像の取得可能枚数を増加させる際、現在の取得可能枚数に加算される枚数を示す情報が登録されている。  
追加料金欄には、携帯配信追加枚数欄に登録された枚数の画像を取得するために、利用者が追加で支払う追加料金を示す情報が登録されている。
【００８９】
より詳しくは、コース情報テーブル２４ｂにおける撮影コース欄の「Ａコース」には、コード認証欄に「無効」、編集欄に「無効」、撮影料金欄に「５００円」、撮影枚数欄に「６枚」、シール画像枚数欄に「２枚」、携帯配信枚数欄に「２枚」、追加料金欄に「２００円」、携帯配信追加枚数欄に「４枚」が登録されている。
【００９０】
さらに、撮影コース欄の「Ｂコース」には、コード認証欄に「無効」、編集欄に「有効」、撮影料金欄に「６００円」、撮影枚数欄に「６枚」、シール画像枚数欄に「４枚」、携帯配信枚数欄に「４枚」、追加料金欄に「１００円」、携帯配信追加枚数欄に「２枚」が登録されている。
【００９１】
さらにまた、撮影コース欄の「Ｃコース」には、コード認証欄に「有効」、編集欄に「無効」、撮影料金欄に「５００円」、撮影枚数欄に「６枚」、シール画像枚数欄に「２枚」、携帯配信枚数欄に「２枚」、追加料金欄に「１００円」、携帯配信追加枚数欄に「４枚」が登録されている。
【００９２】
ドライブ２５は、図５に示すように、携帯型の不揮発性メモリやＵＳＢメモリといったリムーバブルメディア２５ａに対してデータの読み書きを行うドライブ装置で構成されている。このドライブ２５は、制御部３０の指示により、リムーバブルメディア２５ａに記憶している撮影画像や編集画像、あるいは編集用アイテムといったデータを読取る機能を有している。
【００９３】
ＲＯＭ２６は、図５に示すように、写真シール作成装置３で実行するゲームのプログラムやメンテナンス用のプログラムなど、各種プログラムやデータが記憶されている。ゲームのプログラムには、撮影コースに応じて照明設定や編集ツールを切り替えるプログラムが含まれている。  
ＲＡＭ２７は、図５に示すように、制御部３０の指示により、各種情報を一時記憶する一時記憶領域としての機能を有している。
【００９４】
制御部３０は、図５に示すように、各部の動作の制御する機能と、プログラムの実行処理機能と、カメラ１１から取得した画像データに基づいて利用者が撮影された撮影画像を作成する機能と、クロマキー合成によって画像データと合成用画像とを合成する、あるいは撮影画像と合成用画像とを合成して合成画像を作成する機能と、シール紙２９ａに印刷するために、撮影画像または／および合成画像を所定のレイアウトに配置した印刷画像を作成する機能とを有している。
【００９５】
また、配信サーバ４は、図４に示すように、サーバ記憶部４１と、サーバ通信部４２と、サーバ制御部４３とを所定のバスで接続して構成されている。  
サーバ記憶部４１は、ハードディスクや不揮発性メモリなどで構成され、写真シール作成装置３から取得した各種情報、写真シール作成装置３に提供する各種情報、及び利用者の携帯端末２に提供する各種情報が記憶されている。
【００９６】
より詳しくは、サーバ記憶部４１には、図４に示すように、写真シール作成装置３から取得した情報、及び利用者の携帯端末２に提供する各種情報として、写真シール作成装置３から取得するとともに、携帯端末２に提供される提供画像４１ａが記憶され、利用者の携帯端末に提供する各種情報として、提供画像４１ａを配信するためのウェブサイトのＨＴＭＬ文書や画像データなどを示すサイト情報４１ｂなどが記憶されている。
【００９７】
サーバ通信部４２は、通信回線５を介して写真シール作成装置３や携帯端末２と通信するＬＡＮカード等の通信装置で構成し、写真シール作成装置３や携帯端末２と通信回線５を介して各種情報の受け渡しを行う機能を有している。
【００９８】
サーバ制御部４３は、ＣＰＵ、及びメモリ等のハード構成と、プログラム、及びデータ等のソフト構成とで構成し、通信回線５を介した写真シール作成装置３や携帯端末２との各種情報の受け渡しにかかる各種処理機能や、所定のバスを介して接続された各部の動作を制御する制御機能を有している。
【００９９】
次に、上述した構成の写真シール作成装置３において、制御部３０が実行する１回の写真シール作成ゲーム処理における動作を図７から図２１を用いて詳しく説明する。  
なお、図７は１回の遊技における写真シール作成装置３の動作のフローチャートを示し、図８は撮影処理における動作のフローチャートを示し、図９は印刷画像作成処理における動作のフローチャートを示し、図１０は追加課金処理における動作のフローチャートを示している。
【０１００】
さらに、図１１は硬貨投入される前に表示される待機画面５００を示し、図１２は撮影コースの選択を促すコース選択画面５１０を示し、図１３は二次元コードの提示を促す二次元コード提示画面５２０を示し、図１４は合成用画像の選択を促す画面を示す合成用画像選択画面５３０を示し、図１５は利用者が撮影された合成画像の確認を促す画像確認画面５４０を示している。
【０１０１】
加えて、図１６はシール紙２９ａに印刷される合成画像の選択を促す画像選択画面５５０を示し、図１７は印刷レイアウトの選択を促すレイアウト選択画面５６０を示し、図１８は残りの合成画像の携帯端末２への送信を問い合わせる問合せ画面５７０を示し、図１９は合成画像に対する編集操作を受付ける編集画面５８０を示し、図２０はメールアドレスの入力を促すアドレス入力画面５９０を示し、図２１は配信サーバ４と携帯端末２との間におけるシーケンス図を示している。
【０１０２】
まず、写真シール作成装置３の制御部３０は、図７に示すように、写真シール作成ゲーム処理を開始すると、前部ユニット３ａのタブレット内蔵モニタ１５に待機画面を表示させる（ステップＳ１０１）。  
この待機画面５００には、図１１に示すように、写真シール作成装置３が設置された映画館で上映されている映画の告知、及び上映予定の映画の告知が画面中央の告知エリア５０１に表示されるとともに、利用者によって押下されることで写真シール作成ゲームが開始されることを示すスタートボタン５０２が告知エリア５０１の下部に表示されている。
【０１０３】
そして、制御部３０は、図７に示すように、タブレット内蔵モニタ１５に表示された待機画面５００のスタートボタン５０２を、利用者がタッチペン１６で押下したか否かを判定する（ステップＳ１０２）。
【０１０４】
利用者によってスタートボタン５０２が押下されていないと判定した場合（ステップＳ１０２：Ｎｏ）、制御部３０は、利用者によってスタートボタン５０２が押下されるまで待機画面５００をタブレット内蔵モニタ１５に表示させたまま待機する。
【０１０５】
一方、利用者によってスタートボタン５０２が押下されたと判定した場合（ステップＳ１０２：Ｙｅｓ）、制御部３０は、図７に示すように、利用者に撮影コースの選択を促すコース選択画面をタブレット内蔵モニタ１５に表示させる（ステップＳ１０３）。
【０１０６】
このコース選択画面５１０には、図１２に示すように、「撮りたいコースを選んでね」という操作案内、及びタイムアウトまでの残り時間とが画面上部に表示され、その下方に撮影コースの１つを示し「Ａコース」の選択を促すＡコースボタン５１１と、撮影コースの１つを示す「Ｂコース」の選択を促すＢコースボタン５１２と、撮影コースの１つを示す「Ｃコース」の選択を促すＣコースボタン５１３とが表示されている。
【０１０７】
さらに、Ａコースボタン５１１、Ｂコースボタン５１２、及びＣコースボタン５１３の下方には、コース情報テーブル２４ｂの撮影コース欄、及び撮影料金欄に基づいて、各撮影コースの利用に必要な料金がそれぞれ表示されている。加えて、Ｃコースボタン５１３の下方には、上述した料金に加えて、「二次元コードが必要です」というメッセージが表示されている。
【０１０８】
残り時間が「０秒」になる前に、利用者がタッチペン１６を操作してコース選択画面５１０のＡコースボタン５１１、Ｂコースボタン５１２、及びＣコースボタン５１３のいずれか１つの撮影コースが選択押下されると、制御部３０は、図７に示すように、コース情報テーブル２４ｂを参照して、利用者が選択した撮影コースのコード認証欄が「有効」か否かを判定する（ステップＳ１０４）。なお、残り時間が「０秒」となった場合、制御部３０は、図７のステップＳ１０１に処理を戻して、待機画面５００をタブレット内蔵モニタ１５に表示させる。
【０１０９】
利用者が選択した撮影コースのコード認証欄が「有効」の場合（ステップＳ１０４：Ｙｅｓ）、制御部３０は、二次元コードが必要な「Ｃコース」のため、利用者に対して二次元コードの提示を促す二次元コード提示画面を、タブレット内蔵モニタ１５に表示させる（ステップＳ１０５）。
【０１１０】
この二次元コード提示画面５２０には、図１３に示すように、「二次元コードを認証します」というメッセージ、及びタイムアウトまでの残り時間が画面上部に表示され、その下方において、「カメラに二次元コードをかざしてね！」という操作案内と、カメラ１１の位置を明示するカメラ位置明示イラスト５２１と、「読み取り中です・・・」というメッセージとがこの順番で表示されている。
【０１１１】
利用者によって二次元コードがカメラ１１にかざされると、制御部３０は、カメラ１１から取得した画像データと、記憶部２４に記憶されたコード認証情報２４ａとを比較して、二次元コードの真偽を判定する。この際、二次元コードが真の場合、制御部３０は、二次元コードを用いた認証が完了したものと判定する。
【０１１２】
その後、制御部３０は、図７に示すように、二次元コードを用いた認証が完了したか否かを判定する（ステップＳ１０６）。  
二次元コードを用いた認証が完了していない場合（ステップＳ１０６：Ｎｏ）、制御部３０は、画面上部に表示された残り時間が「０秒」になる、あるいは二次元コードを用いた認証が完了するまで、処理を待機する。なお、残り時間が「０秒」となった場合、制御部３０は、処理をステップＳ１０１に戻す。
【０１１３】
一方、二次元コードを用いた認証が完了した場合（ステップＳ１０６：Ｙｅｓ）、制御部３０は、利用者に対して硬貨の投入を促す硬貨投入案内画面（図示省略）をタブレット内蔵モニタ１５に表示させる。さらに、制御部３０は、硬貨受付部１７に対して起動信号を出力することで、硬貨受付部１７に硬貨の投入口を開放させて、利用者による硬貨の投入を受付け可能な状態に硬貨受付部１７を移行させる。
【０１１４】
硬貨の投入を受付け可能な状態に硬貨受付部１７が移行すると、制御部３０は、コース情報テーブル２４ｂに基づいて、利用者が選択した撮影コースの撮影料金欄に対応する金額の硬貨が、利用者によって硬貨受付部１７に全て投入されたか否かを判定する（ステップＳ１０７）。
【０１１５】
利用者が選択した撮影コースの撮影料金欄に対応する金額の硬貨が、利用者によって硬貨受付部１７に全て投入されていない場合（ステップＳ１０７：Ｎｏ）、制御部３０は、利用者による硬貨の投入が完了するまで処理を待機する。
【０１１６】
一方、硬貨投入案内画面の指示にしたがって、利用者が選択した撮影コースの撮影料金欄に対応する金額の硬貨が、利用者によって硬貨受付部１７に全て投入された場合（ステップＳ１０７：Ｙｅｓ）、制御部３０は、硬貨の投入口の閉鎖を硬貨受付部１７に指示したのち、利用者を被写体として撮影する撮影処理を開始する（ステップＳ１０８）。
【０１１７】
詳述すると、撮影処理を開始した制御部３０は、図８に示すように、コース情報テーブル２４ｂを参照して、利用者が選択した撮影コースのコード認証欄が「有効」か否かを判定する（ステップＳ１２１）。  
利用者が選択した撮影コースのコード認証欄が「無効」の場合（ステップＳ１２１：Ｎｏ）、制御部３０は、通常合成用画像読込み処理を開始して（ステップＳ１２２）、記憶部２４に記憶された通常合成用画像２４ｃを、合成用画像として読み出す。
【０１１８】
その後、制御部３０は、利用者に対して合成用画像を選択させる合成用画像選択処理を開始する（ステップＳ１２３）。具体的には、まず、制御部３０は、利用者に対して合成用画像の選択を促す合成用画像選択画面を、タブレット内蔵モニタ１５に表示させる。
【０１１９】
この合成用画像選択画面５３０には、図１４に示すように、「撮りたいイメージを６枚選んでね」という操作案内、及びタイムアウトまでの残り時間が画面上部に表示され、背景または前景となる８種類の合成用画像の一覧である画像一覧表示部５３１が画面中央に表示され、別の合成用画像の一覧を表示するためのボタンである次頁ボタン５３２が画面右上に表示されている。
【０１２０】
なお、合成用画像選択画面５３０の操作案内で表示される枚数、及び利用者によって選択される合成用画像の枚数は、コース情報テーブル２４ｂの撮影枚数欄に登録された枚数と同数とする。例えば、実施例１では、いずれの撮影コースであっても、コース情報テーブル２４ｂの撮影枚数欄が「６枚」のため、制御部３０は、「撮りたいイメージを６枚選んでね」という操作案内を合成用画像選択画面５３０に表示して、利用者に６枚の合成用画像を選択させる。
【０１２１】
タッチペン１６を操作する利用者によって６枚の合成用画像が選択押下されると、制御部３０は、利用者が選択した６枚の合成用画像を、利用者を撮影した撮影画像に合成する画像として一時記憶する。
【０１２２】
合成用画像が選択されると、制御部３０は、図８に示すように、利用者を被写体として撮影する撮影開始処理を開始する（ステップＳ１２４）。  
具体的には、制御部３０は、コース情報テーブル２４ｂを参照して、利用者が選択した撮影コースに応じた撮影枚数欄の値を取得して、撮影枚数を決定する。例えば、実施例１では、いずれの撮影コースであっても、撮影枚数欄にも「６枚」が登録されているため、制御部３０は、６枚を撮影枚数として決定する。
【０１２３】
その後、制御部３０は、撮影にかかる操作案内をタブレット内蔵モニタ１５に表示させるとともに、利用者が選択した６つの合成用画像のうち１つの合成用画像を、カメラ１１で取得している動画映像に重ね合せてライブビューモニタ１３に表示させる。このようにして、制御部３０は、仕上がりをイメージした画像をライブビューモニタ１３に表示して、利用者に適宜のポーズをとらせる。
【０１２４】
さらに、制御部３０は、カウントダウンを示す情報をライブビューモニタ１３に表示させるとともに、スピーカ１４を介した音声によるカウントダウンを開始する。このカウントダウンの終了タイミングで、制御部３０は、照明装置１２に対して照明制御信号を出力するとともに、カメラ１１にシャッタ信号を出力する。
【０１２５】
そして、照明装置１２の上部中央ストロボ１２ａ、上部傘状ストロボ１２ｂ、及び下部傘状ストロボ１２ｃは、照明制御信号を受信すると、それぞれ撮影空間Ｓへ向けて閃光を照射する。  
一方、カメラ１１は、シャッタ信号を受信すると、照明装置１２によって照明された利用者を被写体として１回撮影するとともに、１つの画像データを制御部３０に出力する。
【０１２６】
画像データを取得した制御部３０は、撮影画像と合成用画像とを合成する合成処理を開始する（ステップＳ１２５）。具体的には、制御部３０は、カメラ１１から取得した画像データに基づいて作成した１枚の撮影画像と、ライブビューモニタ１３に表示した１つの合成用画像とを、例えばクロマキー合成によって合成した合成画像を作成して一時記憶する。このように制御部３０は、１回の撮影につき１枚の合成画像を作成する。
【０１２７】
合成画像を一時記憶すると、制御部３０は、合成画像を利用者に確認させる画像確認画面をタブレット内蔵モニタ１５に表示させる。  
この画像確認画面５４０には、図１５に示すように、「こんな風に撮れたよ」というメッセージが画面上部に表示され、その下方に先ほど作成した合成画像５４１が画面中央に表示されている。
【０１２８】
その後、制御部３０は、図８に示すように、利用者が選択した撮影コースにおける撮影枚数欄の値を目標撮影枚数として、目標撮影枚数の合成画像を取得したか否かを判定する（ステップＳ１２６）。例えば、実施例１では、いずれの撮影コースであっても、撮影枚数欄に「６枚」が登録されているため、制御部３０は、６枚の合成画像を取得したか否かを判定する。
【０１２９】
目標撮影枚数である６枚の合成画像を取得していない場合（ステップＳ１２６：Ｎｏ）、制御部３０は、選択された別の合成用画像をライブビューモニタ１３に表示して、ステップＳ１２４の撮影開始処理と、ステップＳ１２５の合成処理とを、６枚の合成画像を取得するまで繰り返す。  
一方、目標撮影枚数である６枚の合成画像を取得した場合（ステップＳ１２６：Ｙｅｓ）、制御部３０は、撮影処理を終了して、処理を図７のステップＳ１０８に戻す。
【０１３０】
また、図８のステップＳ１２１において、利用者が選択した撮影コースのコード認証欄が「有効」の場合（ステップＳ１２１：Ｙｅｓ）、制御部３０は、二次元コード対応合成用画像読込み処理を開始して（ステップＳ１２７）、記憶部２４に記憶された二次元コード対応合成用画像２４ｄを読み出す。
【０１３１】
さらに、制御部３０は、通常合成用画像読込み処理を開始して（ステップＳ１２８）、記憶部２４に記憶された通常合成用画像２４ｃを読み出す。その後、制御部３０は、ステップＳ１２７で読み出した二次元コード対応合成用画像２４ｄと、ステップＳ１２８で読み出した通常合成用画像２４ｃとを、合成用画像として一時記憶する。
【０１３２】
合成用画像を一時記憶すると、制御部３０は、図８に示すように、二次元コード対応合成用画像、及び通常合成用画像からなる合成用画像から６枚の合成用画像を利用者に選択させる合成用画像選択処理（ステップＳ１２９）、利用者を被写体として撮影する撮影開始処理（ステップＳ１３０）、撮影画像と合成用画像とを合成する合成処理（ステップＳ１３１）とをこの順番で実行して、目標撮影枚数である６枚の合成画像を取得したか否かを判定する（ステップＳ１３２）。
【０１３３】
そして、制御部３０は、目標撮影枚数である６枚の合成画像を取得していない場合（ステップＳ１３２：Ｎｏ）、処理をステップＳ１３０に戻し、目標撮影枚数である６枚の合成画像を取得した場合（ステップＳ１３２：Ｙｅｓ）、撮影処理を終了して、処理を図７のステップＳ１０８に戻す。  
なお、ステップＳ１２９からステップＳ１３２の処理は、図８のステップＳ１２３からステップＳ１２６と同様の処理のため、その詳細な説明を省略する。
【０１３４】
図７のステップＳ１０８に戻り、撮影処理を終了すると、制御部３０は、シール紙２９ａに印刷される印刷画像を作成する印刷画像作成処理を開始する（ステップＳ１０９）。  
詳述すると、印刷画像作成処理を開始すると制御部３０は、図９に示すように、画像選択処理を開始して（ステップＳ１４１）、利用者に対してシール紙２９ａに印刷する合成画像の選択を促す画像選択画面を、タブレット内蔵モニタ１５に表示させる。なお、本実施例１では、携帯端末２に提供画像４１ａとして提供される合成画像も同時に選択させる。
【０１３５】
この画像選択画面５５０には、例えば、図１６に示すように、「印刷する画像を２枚選んでね」という操作案内、及びタイムアウトまでの残り時間が画面上部に表示され、６枚の合成画像の一覧である合成画像一覧表示部５５１が画面中央に表示されている。  
この合成画像一覧表示部５５１には、例えば、図１６に示すように、上段に３枚の合成画像５５１ａ，５５１ｂ，５５１ｃを縮小表示し、下段に３枚の合成画像５５１ｄ，５５１ｅ，５５１ｆを縮小表示している。  
なお、画像選択画面５５０の操作案内で表示される枚数、及び利用者によって選択される合成画像の枚数は、コース情報テーブル２４ｂのシール画像枚数欄に登録された枚数と同数とする。
【０１３６】
例えば、実施例１では、利用者が選択した撮影コースが「Ａコース」または「Ｃコース」の場合、コース情報テーブル２４ｂのシール画像枚数欄に「２枚」が登録されているため、制御部３０は、「印刷する画像を２枚選んでね」という操作案内を画像選択画面５５０に表示して、２枚の合成画像を利用者に選択させる。
【０１３７】
一方、利用者が選択した撮影コースが「Ｂコース」の場合、コース情報テーブル２４ｂのシール画像枚数欄に「４枚」が登録されているため、「印刷する画像を４枚選んでね」という操作案内を画像選択画面５５０に表示して、４枚の合成画像を利用者に選択させる。
【０１３８】
画像選択画面５５０を表示すると、制御部３０は、利用者による合成画像の選択が完了したか否かを判定する（ステップＳ１４２）。  
例えば、制御部３０は、利用者が選択した撮影コースが「Ａコース」または「Ｃコース」の場合、利用者によって２枚の合成画像が選択されたか否かを判定し、利用者が選択した撮影コースが「Ｂコース」の場合、利用者によって４枚の合成画像が選択されたか否かを判定する。
【０１３９】
利用者による合成画像の選択が完了していない場合（ステップＳ１４２：Ｎｏ）、制御部３０は、利用者による合成画像の選択が完了する、あるいは残り時間が「０秒」となるまで処理を待機する。
【０１４０】
一方、利用者による合成画像の選択が完了した場合（ステップＳ１４２：Ｙｅｓ）、制御部３０は、選択された合成画像を、シール紙２９ａへの印刷に用いる画像、及び配信サーバ４に送信される取得可能枚数の合成画像として一時記憶する。  
この際、制御部３０は、選択された複数枚の合成画像に対して１つの固有情報である１つのＩＤ情報を付与するとともに、選択された複数枚の合成画像にＩＤ情報を関連付けて一時記憶する。
【０１４１】
なお、ステップＳ１４２で残り時間が「０秒」となった場合、制御部３０は、例えば１枚も利用者が選択していなければ、６枚の合成画像からランダムに抽出した合成画像を、シール紙２９ａへの印刷に用いる画像、及び配信サーバ４に送信される取得可能枚数の合成画像として決定するとともに、ＩＤ情報を関連付けて一時記憶する。
【０１４２】
その後、制御部３０は、印刷レイアウト選択処理を開始して（ステップＳ１４３）、利用者に対して、印刷レイアウトの選択を促すレイアウト選択画面をタブレット内蔵モニタ１５に表示させる。
【０１４３】
このレイアウト選択画面５６０には、図１７に示すように、「印刷するシールを１枚選んでね」という操作案内、及びタイムアウトまでの残り時間が画面上部に表示され、その下方に５種類の印刷レイアウトの一覧であるレイアウト一覧表示部５６１と、現在選択されている印刷レイアウトが原寸大で表示される原寸表示部５６２とがこの順番で表示され、選択押下されることで印刷レイアウトが決定されるＯＫボタン５６３が画面右下に表示されている。
【０１４４】
このレイアウト選択画面５６０のレイアウト一覧表示部５６１には、選択された２枚の合成画像を交互に４枚分並置した画像が２枚配置された「画像４枚×２枚」という印刷レイアウトと、選択された２枚の合成画像が２枚ずつ配置された「画像２枚×２枚」という印刷レイアウトと、選択された２枚の合成画像が１枚ずつ並置された「画像２枚」という印刷レイアウトと、選択された２枚の合成画像のうち１枚が配置された「画像１枚」という印刷レイアウトと、他方の合成画像が配置された「画像１枚」という印刷レイアウトとが、利用者によって選択される印刷レイアウトとして表示されている。
【０１４５】
レイアウト選択画面５６０を表示すると、制御部３０は、図９に示すように、タッチペン１６を操作する利用者によってＯＫボタン５６３が押下されたか否かを判定する（ステップＳ１４４）。利用者によってＯＫボタン５６３が押下されていない場合（ステップＳ１４４：Ｎｏ）制御部３０は、残り時間が「０秒」になる、あるいは利用者によってＯＫボタン５６３が押下されるまで処理を待機する。
【０１４６】
一方、利用者によってＯＫボタン５６３が押下された場合（ステップＳ１４４：Ｙｅｓ）、制御部３０は、ＯＫボタン５６３が押下された際に原寸表示部５６２に表示されていた印刷レイアウトを、利用者によって選択された印刷レイアウトとして決定する。
【０１４７】
その後、制御部３０は、利用者によって選択された合成画像と、決定した印刷レイアウトとに基づいて、シール紙２９ａに印刷するための印刷画像の作成を開始して、印刷画像作成処理を終了するとともに、処理を図７のステップＳ１０９へ戻す。  
なお、ステップＳ１４４において、残り時間が「０秒」となった場合、制御部３０は、原寸表示部５６２に表示されている印刷レイアウトを、選択された印刷レイアウトとして、印刷画像の作成を開始する。
【０１４８】
図７のステップＳ１０９に戻り、印刷画像作成処理を終了すると、制御部３０は、残りの合成画像を携帯端末２で取得するか否かを利用者に問い合わせて、取得を所望する利用者の課金を受付ける追加課金処理を開始する（ステップＳ１１０）。
【０１４９】
詳述すると、追加課金処理を開始した制御部３０は、図１０に示すように、図７のステップＳ１０９の印刷画像作成処理において、利用者によって選択されなかった残りの合成画像を、携帯端末２に送信するか否かを利用者に問い合わせる問合せ画面を、タブレット内蔵モニタ１５に表示させる（ステップＳ１６１）。
【０１５０】
この問合せ画面５７０には、図１８に示すように、「残り画像も携帯送信する？」というメッセージ、及びタイムアウトまでの残り時間が画面上部に表示され、その下方に利用者によって選択されなかった４枚の合成画像５７１が表示され、さらにその下方に押下されることで残り画像の携帯送信を行わないキャンセルボタン５７２と、押下されることで残り画像の携帯送信を行うＯＫボタン５７３とが表示されている。  
より詳しくは、例えば、上述したステップＳ１０９の印刷画像作成処理で、図１６の画像選択画面５５０に表示された合成画像５５１ｂと合成画像５５１ｅとを利用者が選択した場合、問合せ画面５７０には、残りの合成画像５５１ａ，５５１ｃ，５５１ｄ，５５１ｆ（図１６参照）が、利用者によって選択されなかった４枚の合成画像５７１として表示される。
【０１５１】
なお、ＯＫボタン５７３には、コース情報テーブル２４ｂにおける利用者が選択した撮影コースの追加料金欄に登録された料金が重ね合わせるように表示されている。  
例えば、実施例１では、利用者が選択した撮影コースが「Ａコース」の場合、コース情報テーブル２４ｂの携帯配信追加枚数欄が「４枚」で、追加料金欄が「２００円」であるため、４枚の合成画像が問合せ画面５７０に表示されるとともに、ＯＫボタン５７３に「２００円」が表示される。
【０１５２】
また、利用者が選択した撮影コースが「Ｂコース」の場合、コース情報テーブル２４ｂの携帯配信追加枚数欄が「２枚」で、追加料金欄が「１００円」であるため、２枚の合成画像が問合せ画面５７０に表示されるとともに、ＯＫボタン５７３に「１００円」が表示される。
【０１５３】
さらにまた、利用者が選択した撮影コースが「Ｃコース」の場合、コース情報テーブル２４ｂの携帯配信追加枚数欄が「４枚」で、追加料金欄が「１００円」であるため、４枚の合成画像が問合せ画面５７０に表示されるとともに、「ＯＫボタン５７３に「１００円」が表示される。
【０１５４】
問合せ画面５７０を表示すると、制御部３０は、タッチペン１６を操作した利用者によってＯＫボタン５７３が押下されたか否かを判定する（ステップＳ１６２）。利用者によってＯＫボタン５７３が押下された場合（ステップＳ１６２：Ｙｅｓ）、制御部３０は、利用者による硬貨の追加投入を受付ける硬貨追加受付処理を開始する（ステップＳ１６３）。
【０１５５】
具体的には、制御部３０は、利用者に対して硬貨の追加投入を促す硬貨追加投入案内画面（図示省略）をタブレット内蔵モニタ１５に表示させる。さらに、制御部３０は、硬貨受付部１７に起動信号を出力することで、硬貨受付部１７に硬貨の投入口を開放させて、利用者による硬貨の追加投入を受付け可能状態に移行させる。
【０１５６】
その後、制御部３０は、硬貨追加投入案内画面の指示にしたがって追加料金分の硬貨が、利用者によって硬貨受付部１７に全て投入されたか否かを判定する（ステップＳ１６４）。追加料金分の硬貨が、利用者によって硬貨受付部１７に全て投入されていない場合（ステップＳ１６４：Ｎｏ）、制御部３０は、利用者による硬貨の投入が完了するまで、処理を待機する。
【０１５７】
一方、硬貨追加投入案内画面の指示にしたがって追加料金分の硬貨が、利用者によって硬貨受付部１７に全て投入された場合（ステップＳ１６４：Ｙｅｓ）、制御部３０は、投入口の閉鎖を硬貨受付部１７に指示したのち、携帯端末２に提供画像４１ａとして提供される取得可能枚数の合成画像を決定する提供画像決定処理を開始する（ステップＳ１６５）。
【０１５８】
具体的には、制御部３０は、図７のステップＳ１０９の印刷画像作成処理で選択された取得可能枚数の合成画像と、ステップＳ１６１の問合せ画面５７０に表示した残りの合成画像とを、携帯端末２に提供画像４１ａとして提供される新しい取得可能枚数の合成画像として決定する。
【０１５９】
つまり、制御部３０は、コース情報テーブル２４ｂの携帯配信枚数欄の枚数を、撮影料金欄の料金で取得可能な取得可能枚数として、利用者による追加料金の支払いがあった場合、取得可能枚数に携帯配信追加枚数欄の枚数を加算した値を、新しい取得可能枚数とする。
【０１６０】
例えば、利用者が選択した撮影コースが「Ａコース」の場合、図７のステップＳ１０９で選択された２枚の合成画像に、選択されなかった４枚の合成画像を加えた計６枚の合成画像を、新しい取得可能枚数の合成画像として決定する。  
その後、制御部３０は、追加課金処理を終了して、処理を図７のステップＳ１１０に戻す。
【０１６１】
また、図１０のステップＳ１６２において、ＯＫボタン５７３が押下されなかった場合、すなわちキャンセルボタン５７２が押下された場合（ステップＳ１６２：Ｎｏ）、制御部３０は、携帯端末２に提供画像４１ａとして提供される取得可能枚数の合成画像を決定する提供画像決定処理を開始する（ステップＳ１６６）。
【０１６２】
この提供画像決定処理は、ステップＳ１６５の処理とは異なり、制御部３０は、コース情報テーブル２４ｂの携帯配信枚数欄に登録された枚数を取得可能枚数として、取得可能枚数の合成画像を提供画像４１ａとして決定する。  
つまり、制御部３０は、図７のステップＳ１０９で利用者によって選択された取得可能枚数の合成画像を、携帯端末２に提供画像４１ａとして提供される取得可能枚数の合成画像として決定する。
【０１６３】
提供画像を決定すると、制御部３０は、追加課金処理を終了して、処理を図７のステップＳ１１０に戻す。  
図７のステップＳ１１０に戻り、制御部３０は、コース情報テーブル２４ｂを参照して、利用者が選択した撮影コースの編集欄が「有効」か否かを判定する（ステップＳ１１１）。
【０１６４】
利用者が選択した撮影コースの編集欄が「有効」の場合（ステップＳ１１１：Ｙｅｓ）、制御部３０は、シール紙２９ａに印刷するための印刷画像を合成画像に基づいて作成する間に、利用者による落書きなどの編集操作を受付ける編集受付処理を開始する（ステップＳ１１２）。
【０１６５】
編集受付処理を開始すると、制御部３０は、落書きなどの編集操作を受付ける編集画面を、タブレット内蔵モニタ１５に表示して、ステップＳ１０９で選択された合成画像への利用者による落書きなどの編集操作を受付ける。
【０１６６】
この編集画面５８０は、図１９に示すように、二人の利用者それぞれがタッチペン１６を用いて個別に、あるいは共同して落書きなどの編集を行えるように編集対象である合成画像を同時に２枚表示している。なお、この同時に表示される編集対象である２枚の合成画像は、同一のものであってもよいし、異なるものであってもよい。
【０１６７】
より詳しくは、編集画面５８０には、図１９に示すように、編集対象の合成画像が表示された編集対象画像表示部５８１、消しゴムツールやペン設定、あるいは編集作業の進行にかかる各種ボタン群である編集作業ボタン５８２、スタンプなどの予め容易されたコンテンツの選択するボタン群であるコンテンツパレット５８３、及び押下されることで編集作業を終了する終了ボタン５８４が、それぞれ画面中央を挟んで２つ表示され、タイムアウトまでの残り時間が画面中央上部に表示されている。
【０１６８】
これら一対の編集対象画像表示部５８１、一対の編集作業ボタン５８２、一対のコンテンツパレット５８３、及び一対の終了ボタン５８４によって、二人の利用者それぞれがタッチペン１６を用いて個別に編集作業可能に構成している。
【０１６９】
利用者が合成画像に対して任意に編集を行ったのち、利用者によって終了ボタン５８４を押下される、あるいは残り時間が「０秒」となった場合、制御部３０は、編集受付処理を終了する。  
一方、図７のステップＳ１１１において、利用者が選択した撮影コースの編集欄が「無効」の場合（ステップＳ１１１：Ｎｏ）、制御部３０は、編集受付処理をスキップして処理を進める。
【０１７０】
その後、制御部３０は、利用者によるメールアドレスの入力操作を受付ける宛先受付処理を開始して（ステップＳ１１３）、利用者に対して携帯端末２のメールアドレスの入力を促すアドレス入力画面５９０を、タブレット内蔵モニタ１５に表示させる。  
このアドレス入力画面５９０は、図２０に示すように、編集画面５８０と同様、二人の利用者がそれぞれタッチペン１６を用いて個別にメールアドレスを入力できるように構成されている。
【０１７１】
より詳しくは、アドレス入力画面５９０には、図２０に示すように、「携帯のアドレスを入力してね」という操作案内と、メールアドレスを入力する宛先入力欄５９１と、英字のボタン群である英字ボタン５９２と、数字のボタン群である数字ボタン５９３と、記号のボタン群である記号ボタン５９４と、操作を１つ前に戻す戻るボタン５９５と、操作を最初からやり直すやり直しボタン５９６と、入力したメールアドレスを確定する決定ボタン５９７とが、画面中央を挟んで２つ表示されている。
【０１７２】
そして、タッチペン１６を操作する利用者によって宛先入力欄５９１にメールアドレスを入力され、利用者によって決定ボタン５９７が押下されると、制御部３０は、入力されたメールアドレスを、利用者の携帯端末２を特定する宛先情報として一時記憶する。
【０１７３】
宛先受付処理を完了すると、制御部３０は、送信処理を開始して（ステップＳ１１４）、図１０のステップＳ１６５またはステップＳ１６６の提供画像決定処理で決定された取得可能枚数の合成画像と、ステップＳ１１３の宛先受付処理で受付けた宛先情報と、ステップＳ１０９で付与されたＩＤ情報とを関連付けて、配信サーバ４に通信回線５を介して送信する。
【０１７４】
例えば、実施例１において、利用者が選択した撮影コースが「Ａコース」で、ステップＳ１１０の追加課金処理で利用者による追加料金の支払いを受付けた場合、コース情報テーブル２４ｂの携帯配信枚数欄、及び携帯配信追加枚数欄に基づいて決定された計６枚の合成画像を配信サーバ４に送信し、ステップＳ１１０の追加課金処理で利用者による追加料金の支払いを受付けていない場合、コース情報テーブル２４ｂの携帯配信枚数欄に基づいて決定された計２枚の合成画像を配信サーバ４に送信する。  
なお、配信サーバ４から携帯端末２への合成画像（提供画像４１ａ）の送信については、後ほど詳しく説明する。
【０１７５】
取得可能枚数の合成画像を配信サーバ４に送信すると、制御部３０は、シール紙２９ａに印刷画像を印刷する印刷処理を開始する（ステップＳ１１５）。具体的には、制御部３０に指示よって、プリンタ２８は、ステップＳ１０９の印刷画像作成処理で利用者が選択した印刷レイアウトに基づいて作成された印刷画像を、シール紙２９ａに印刷して写真シールを作成する。
【０１７６】
この際、制御部３０は、図７のステップＳ１０９で付与されたＩＤ情報を、写真シール紙２９ａの外縁部分に印字させる。  
印刷画像をシール紙２９ａに印刷開始すると、制御部３０は、利用者に対して撮影空間Ｓから退出して、写真シール排出口１８に移動するよう促す音声案内をスピーカ１４に出力する。
【０１７７】
印刷処理が終了すると、制御部３０は、シール排出処理を実行し（ステップＳ１１６）、完成した写真シールを写真シール排出口１８から排出して、利用者に提供することで、１回の写真シール作成ゲーム処理を終了する。
【０１７８】
引き続き、配信サーバ４に送信した合成画像を、提供画像４１ａとして利用者の携帯端末２に取得させる方法について、図２１を用いて説明する。  
配信サーバ４のサーバ制御部４３は、図２１に示すように、宛先情報、及びＩＤ情報が関連付けられた取得可能枚数の合成画像を写真シール作成装置３から取得すると、携帯端末２を特定する宛先情報と、合成画像に付与されたＩＤ情報とを関連付けた状態で、取得可能枚数の合成画像を取得可能枚数の提供画像４１ａとしてサーバ記憶部４１に保存する（ステップＳ１８１）。
【０１７９】
その後、サーバ制御部４３は、図２１に示すように、提供画像４１ａを取得するためのウェブサイトのＵＲＬを示すＵＲＬ情報が記載されたメールを、宛先情報に基づいて利用者が所有する携帯端末２に送信する（ステップＳ１８２）。  
一方、配信サーバ４からのメールを受信した携帯端末２は、利用者の操作によってメールが開封されると、提供画像４１ａを取得するためのウェブサイトへのリンクとしてＵＲＬ情報を閲覧可能に表示する（ステップＳ１８３）。
【０１８０】
そして、利用者の選択操作によってウェブサイトへのリンクが押下されると、携帯端末２は、ＵＲＬ情報に基づいて、ウェブサイトのＨＴＭＬ文書や画像などを示すサイト情報４１ｂを要求する要求情報を、配信サーバ４へ送信する（ステップＳ１８４）。
【０１８１】
携帯端末２からの要求情報を取得すると、配信サーバ４のサーバ制御部４３は、サイト情報４１ｂを携帯端末２へ送信する（ステップＳ１８５）。  
一方、サイト情報４１ｂを受信した携帯端末２は、取得したサイト情報４１ｂをウェブサイトとして閲覧可能にして表示する（ステップＳ１８６）。この携帯端末２に表示されたウェブサイトには、利用者に対して写真シールに印字されたＩＤ情報の入力を促す操作案内が表示されている。
【０１８２】
その後、携帯端末２に表示されたウェブサイトの指示にしたがって、利用者が写真シールに印字されたＩＤを入力すると、携帯端末２は、入力されたＩＤをＩＤ情報として配信サーバ４へ送信する（ステップＳ１８７）。
【０１８３】
ＩＤ情報を取得した配信サーバ４のサーバ制御部４３は、取得したＩＤ情報と一致するＩＤ情報が関連付けられた取得可能枚数の提供画像４１ａをサーバ記憶部４１から読み出すとともに、取得可能枚数の提供画像４１ａを携帯端末２へ送信する（ステップＳ１８８）。
【０１８４】
配信サーバ４から取得可能枚数の提供画像４１ａを受信した携帯端末２は、提供画像４１ａを閲覧可能に表示するとともに、その内部の記憶部（図示省略）に提供画像４１ａを記憶する（ステップＳ１８９）。  
このようにして、写真シール作成システム１は、写真シール作成装置３が利用者を被写体として撮像した提供画像４１ａを、配信サーバ４を介して利用者の携帯端末２に提供する。
【０１８５】
以上のような動作を実現する写真シール作成装置３、写真シール作成方法、及び写真シール作成プログラムは、より多くの提供画像４１ａの取得を所望する利用者が追加課金をした場合に、携帯端末２に提供される提供画像４１ａの取得可能枚数を増加させることができる。
【０１８６】
このため、写真シール作成装置３、写真シール作成方法、及び写真シール作成プログラムは、より多くの提供画像４１ａの取得を所望する利用者に対する利便性を向上することができる。  
一方で、より多くの提供画像４１ａの取得を所望しない利用者に対して、写真シール作成装置３、写真シール作成方法、及び写真シール作成プログラムは、１回の利用を安価に提供することできる。
【０１８７】
さらに、例えば、追加課金を受付けて利用者に提供する写真シールの枚数を増加させる場合、印刷に要する時間によって１回の利用時間が長くなるのに対して、写真シール作成装置３、写真シール作成方法、及び写真シール作成プログラムは、提供画像４１ａの取得可能枚数を容易に増加させることができるため、１回の利用時間が長くなることを抑えることができる。
【０１８８】
これにより、写真シール作成装置３、写真シール作成方法、及び写真シール作成プログラムは、回転率の低下を抑えることができ、利用者の利便性をより向上することができる。  
加えて、回転率の低下を抑えることで、より多くの提供画像４１ａの取得を所望する利用者の増加を期待できるため、写真シール作成装置３、写真シール作成方法、及び写真シール作成プログラムは、追加課金による収益の向上を期待することができる。
【０１８９】
従って、写真シール作成装置３、写真シール作成方法、及び写真シール作成プログラムは、利用者による追加課金を受付けて、利用者の携帯端末２に提供される提供画像４１ａの取得可能枚数を増加させることで、収益性の向上を図るとともに、利用者の利便性を向上することができる。
【０１９０】
また、例えば、利用者が選択した撮影コースが「Ａコース」の場合、撮影画像の枚数を示す６枚（Ｎ枚）よりも少ない「２枚（ｎ枚）」を取得可能枚数としてコース情報テーブル２４ｂの携帯配信枚数欄に登録し、図１０のステップＳ１６４において、利用者による硬貨の追加投入を受付けたと判定した場合、制御部３０が、携帯配信枚数欄に登録された「２枚（ｎ枚）」に携帯配信追加枚数欄に登録された「４枚」を加えた計６枚（ｎ＋１枚以上Ｎ枚以下）を新しい取得可能枚数としたことにより、写真シール作成装置３は、利用者による追加課金の有無に関わらず、ｎ枚の提供画像４１ａを常に利用者の携帯端末２に提供することができる。
【０１９１】
さらに、より多くの提供画像４１ａの取得を所望する利用者に対して、写真シール作成装置３は、利用者による追加課金を受付けることで、ｎ＋１枚以上Ｎ枚以下の提供画像４１ａを利用者の携帯端末２に提供することができる。
【０１９２】
一方で、写真シール作成装置３は、より多くの提供画像４１ａの取得を所望しない利用者に、必要以上の提供画像４１ａが提供されることを防止できる。これにより、写真シール作成装置３は、利用者のニーズにより応じた取得可能枚数の提供画像４１ａを、利用者の携帯端末２に提供することができる。
【０１９３】
従って、写真シール作成装置３は、利用者による追加課金の有無に関わらずｎ枚の提供画像４１ａを携帯端末２に提供し、利用者による追加課金を受付けた場合、ｎ＋１枚以上Ｎ枚以下の取得可能枚数の提供画像４１ａを携帯端末２に提供することで、利用者の利便性をより向上することができる。
【０１９４】
また、携帯端末２で取得可能な提供画像４１ａの取得可能枚数が、撮影コースに関連付けられたことにより、写真シール作成装置３は、回転率の向上をより図ることができるとともに、利用者の利便性をさらに向上させることができる。
【０１９５】
具体的には、例えば、コース情報テーブル２４ｂにおける携帯配信枚数欄の値だけが異なる複数の撮影コースを設定することで、写真シール作成装置３は、所望する枚数の撮影コースを選択した利用者が、追加課金を行う手間を省くことができる。
【０１９６】
従って、写真シール作成装置３は、携帯端末２で取得可能な提供画像４１ａの取得可能枚数が、撮影コースに関連付けられたことにより、回転率の向上をより図ることができるとともに、利用者の利便性をさらに向上させることができる。
【０１９７】
また、携帯端末２で取得可能な提供画像４１ａを、利用者によって選択された合成用画像と撮影画像とを合成した合成画像としたことにより、写真シール作成装置３は、利用者を撮影しただけの撮影画像を提供画像とした場合に比べて、利用者にとって付加価値の高い提供画像４１ａを、利用者の携帯端末２に提供できるとともに、より集客効果を得ることができる。
【０１９８】
さらに、写真シール作成装置３は、利用者にとって付加価値の高い提供画像４１ａを利用者の携帯端末２に提供することで、追加課金に抵抗感のある利用者であっても、提供画像４１ａの取得をより所望させることができる。  
これにより、より多くの提供画像４１ａの取得を所望する利用者の増加を期待できるため、写真シール作成装置３は、追加課金による収益の向上を期待することができる。
【０１９９】
従って、写真シール作成装置３は、携帯端末２に提供される提供画像４１ａを合成画像としたことにより、集客効果、及び追加課金による収益性の向上を図るとともに、利用者の利便性をより向上することができる。
【０２００】
また、図７のステップＳ１０８の撮影処理後、制御部３０が、追加課金処理を開始して、残りの合成画像を携帯端末２で取得するかを利用者に問い合わせる構成としたことにより、写真シール作成装置３は、撮影開始後に、取得可能枚数の増加を希望する利用者のニーズに容易に対応することができる。
【０２０１】
さらに、残りの合成画像をタブレット内蔵モニタ１５に表示することで、写真シール作成装置３は、合成画像の出来栄えに応じて、残りの合成画像の取得を利用者に決定させることができる。  
これにより、より多くの提供画像４１ａの取得を所望する利用者の増加を期待できるため、写真シール作成装置３は、追加課金による収益の向上を期待することができる。  
従って、写真シール作成装置３は、カメラ１１による撮影後、取得可能枚数の増加の可否を問い合わせることにより、収益性の向上を図るとともに、利用者の利便性をより向上することができる。
【０２０２】
また、写真シール作成装置３が設置された施設、実施例１では映画館が配布した二次元コードを利用者が所有している場合、通常では選択できない二次元コード対応合成用画像２４ｄを選択可能にすることで、写真シール作成装置３は、利用者に対するサービスの向上と利便性の向上とを図ることができる。
【実施例２】
【０２０３】
次に、上述した実施例１に対してコース情報テーブル２４ｂの構成と、写真シール作成装置３における動作が異なる写真シール作成システム１について、図２２から図２５を用いて説明する。
【０２０４】
なお、図２２は実施例２におけるコース情報テーブル２４ｅの構成図を示し、図２３は実施例２における写真シール作成装置３の動作のフローチャートを示し、図２４は実施例２における印刷画像作成処理の動作のフローチャートを示し、図２５は実施例２における追加課金処理の動作のフローチャートを示している。  
また、上述した実施例１と同じ構成は、同じ符号を付してその説明を省略する。
【０２０５】
まず、実施例２におけるコース情報テーブル２４ｅは、図２２に示すように、撮影コース欄、コード認証欄、編集欄、追加課金欄、撮影料金欄、撮影枚数欄、シール画像枚数欄、携帯配信枚数欄、追加料金欄、及び携帯配信追加枚数欄で構成され、各欄に登録された各種情報が、撮影コース欄に登録された各撮影コースに関連付けて登録されている。
【０２０６】
このコース情報テーブル２４ｅは、上述した実施例１のコース情報テーブル２４ｂに対して、追加課金欄が追加されている点が相違している。このため、撮影コース欄、コード認証欄、編集欄、撮影料金欄、撮影枚数欄、シール画像枚数欄、携帯配信枚数欄、追加料金欄、及び携帯配信追加枚数欄については、その詳細な説明を省略する。
【０２０７】
追加課金欄は、配信サーバ４を介して利用者の携帯端末２に提供される提供画像４１ａの総枚数である取得可能枚数の増加を許容する場合、有効を示す情報が登録され、取得可能枚数の増加を許容しない場合、無効を示す情報が登録されている。
【０２０８】
より詳しくは、コース情報テーブル２４ｅには、「Ａコース」として、コード認証欄に「無効」、編集欄に「無効」、追加課金欄に「有効」、撮影料金欄に「５００円」、撮影枚数欄に「６枚」、シール画像枚数欄に「２枚」、携帯配信枚数欄に「２枚」、追加料金欄に「２００円」、携帯配信追加枚数欄に「４枚」が登録されている。
【０２０９】
さらに、「Ｂコース」として、コード認証欄に「無効」、編集欄に「有効」、追加課金欄に「無効」、撮影料金欄に「５００円」、撮影枚数欄に「６枚」、シール画像枚数欄に「４枚」、携帯配信枚数欄に「４枚」、追加料金欄に「０円」、携帯配信追加枚数欄に「０枚」が登録されている。
【０２１０】
さらにまた、「Ｃコース」として、コード認証欄に「有効」、編集欄に「無効」、追加課金欄に「有効」、撮影料金欄に「５００円」、撮影枚数欄に「６枚」、シール画像枚数欄に「２枚」、携帯配信枚数欄に「２枚」、追加料金欄に「０円」、携帯配信追加枚数欄に「３枚」が登録されている。
【０２１１】
引き続き、このような構成のコース情報テーブル２４ｅが記憶部２４に記憶された写真シール作成装置３において、制御部３０が実行する１回の写真シール作成ゲーム処理における動作を説明する。
【０２１２】
まず、写真シール作成装置３の制御部３０は、図２３に示すように、写真シール作成ゲーム処理を開始すると、前部ユニット３ａのタブレット内蔵モニタ１５に待機画面を表示させる（ステップＳ２０１）。  
その後、制御部３０は、スタートボタン５０２が押下されたか否かを判定して（ステップＳ２０２）、スタートボタン５０２が押下された場合（ステップＳ２０２：Ｙｅｓ）、コース選択画面を表示する（ステップＳ２０３）。
【０２１３】
さらに、制御部３０は、コース情報テーブル２４ｅを参照して、利用者が選択した撮影コースのコード認証欄が「有効」か否かを判定し（ステップＳ２０４）、利用者が選択した撮影コースのコード認証欄が「有効」の場合（ステップＳ２０４：Ｙｅｓ）、利用者に対して二次元コードの提示を促す二次元コード提示画面を表示して（ステップＳ２０５）、二次元コードの認証が完了した場合（ステップＳ２０６：Ｙｅｓ）、あるいは利用者が選択した撮影コースのコード認証欄が「無効」の場合（ステップＳ２０４：Ｎｏ）、利用者による硬貨の投入の受付けを開始して、利用者によって硬貨が全て投入されたか否かを判定する（ステップＳ２０７）。
【０２１４】
その後、利用者によって硬貨が全て投入された場合（ステップＳ２０７：Ｙｅｓ）、制御部３０は、撮影処理を開始して（ステップＳ２０８）、利用者を被写体として撮影する。  
なお、図２３のステップＳ２０１からステップＳ２０８までの処理は、上述した実施例１における図７のステップＳ１０１からステップＳ１０８までの処理と同様のため、その詳細な説明を省略する。
【０２１５】
撮影処理を完了すると、制御部３０は、シール紙２９ａに印刷される合成画像のレイアウトなどを利用者に決定させる印刷画像作成処理を開始する（ステップＳ２０９）。  
詳述すると、印刷画像作成処理を開始した制御部３０は、図２４に示すように、コース情報テーブル２４ｅを参照して、利用者が選択した撮影コースの追加課金欄が「有効」か否かを判定する（ステップＳ２３１）。
【０２１６】
そして、利用者が選択した撮影コースの追加課金欄が「有効」の場合（ステップＳ２３１：Ｙｅｓ）、制御部３０は、利用者にシール紙２９ａに印刷する合成画像を選択させる画像選択処理を開始する（ステップＳ２３２）。  
この画像選択処理は、上述した実施例１における図９のステップＳ１４１の画像選択処理と同様の処理のため、その詳細な説明を省略する。
【０２１７】
画像選択画面を表示すると、制御部３０は、利用者による合成画像の選択が完了したか否かを判定する（ステップＳ２３３）。  
例えば、制御部３０は、利用者が選択した撮影コースが「Ａコース」または「Ｃコース」の場合、利用者によって２枚の合成画像が選択されたか否かを判定し、利用者が選択した撮影コースが「Ｂコース」の場合、利用者によって４枚の合成画像が選択されたか否かを判定する。
【０２１８】
利用者による合成画像の選択が完了していない場合（ステップＳ２３３：Ｎｏ）、制御部３０は、利用者による合成画像の選択が完了する、あるいは残り時間が「０秒」となるまで処理を待機する。  
一方、利用者による合成画像の選択が完了した場合（ステップＳ２３３：Ｙｅｓ）、制御部３０は、選択された合成画像を、シール紙２９ａへの印刷に用いる画像として一時記憶する。  
なお、ステップＳ２３３で、残り時間が「０秒」となった場合、制御部３０は、例えば１枚も利用者が選択していなければ、６枚の合成画像からランダムに抽出した合成画像を、シール紙２９ａへの印刷に用いる画像として一時記憶する。
【０２１９】
その後、制御部３０は、印刷レイアウト選択処理を開始して（ステップＳ２３４）、利用者に対して、印刷レイアウトの選択を促すレイアウト選択画面をタブレット内蔵モニタ１５に表示させる。この印刷レイアウト選択処理は、上述した実施例１における図９のステップＳ１４４の印刷レイアウト選択処理と同様の処理のため、その詳細な説明を省略する。
【０２２０】
レイアウト選択画面を表示すると、制御部３０は、タッチペン１６を操作する利用者によってＯＫボタンが押下されたか否かを判定する（ステップＳ２３５）。利用者によってＯＫボタンが押下されていない場合（ステップＳ２３５：Ｎｏ）、制御部３０は、残り時間が「０秒」になる、あるいは利用者によってＯＫボタンが押下されるまで処理を待機する。
【０２２１】
一方、利用者によってＯＫボタンが押下された場合（ステップＳ２３５：Ｙｅｓ）、制御部３０は、ＯＫボタンが押下された際に原寸表示部に表示されていた印刷レイアウトを、利用者によって選択された印刷レイアウトとして決定する。
【０２２２】
その後、制御部３０は、利用者によって選択された合成画像と、決定した印刷レイアウトとに基づいて、シール紙２９ａに印刷するための印刷画像の作成を開始して、印刷画像作成処理を終了するとともに、処理を図２３のステップＳ２０９へ戻す。  
なお、ステップＳ２３５において、残り時間が「０秒」となった場合、制御部３０は、原寸表示部に表示されている印刷レイアウトを、選択された印刷レイアウトとして、印刷画像の作成を開始する。
【０２２３】
また、図２４のステップＳ２３１において、利用者が選択した撮影コースの追加課金欄が「無効」の場合（ステップＳ２３１：Ｎｏ）、制御部３０は、画像抽出処理を開始して（ステップＳ２３６）、６枚の合成画像からシール紙２９ａに印刷される合成画像をランダムに抽出する。  
具体的には、制御部３０は、コース情報テーブル２４ｅを参照し、シール画像枚数欄の値を取得して、シール画像枚数欄に登録された枚数の合成画像を６枚の合成画像からランダムに抽出して一時記憶する。
【０２２４】
例えば、利用者が選択した撮影コースが「Ｂコース」の場合、コース情報テーブル２４ｂの撮影枚数欄に「６枚」が登録され、追加課金欄に「無効」が登録され、シール画像枚数欄に「４枚」が登録されているため、制御部３０は、６枚の合成画像から４枚の合成画像をランダムに抽出して一時記憶する。
【０２２５】
その後、制御部３０は、処理をステップＳ２３４に進めて、ステップＳ２３６で抽出した複数枚の合成画像に基づいて、印刷レイアウト選択処理（ステップＳ２３４）を開始する。さらに、制御部３０は、印刷レイアウトが決定された場合（ステップＳ２３５：Ｙｅｓ）、印刷画像の作成を開始して、印刷画像作成処理を終了したのち、図２３のステップＳ２０９に処理を戻す。
【０２２６】
図２３のステップＳ２０９に戻り、印刷画像作成処理を終了すると、制御部３０は、後述する追加課金処理の実行回数を示す課金カウントＴに「０」を代入して、課金カウントＴを初期化する（ステップＳ２１０）。  
課金カウントＴを初期化すると、制御部３０は、課金カウントＴが「１」以上か否かを判定する（ステップＳ２１１）。
【０２２７】
課金カウントＴが「１」以上でない場合（ステップＳ２１１：Ｎｏ）、制御部３０は、携帯端末２に提供画像４１ａとして提供される取得可能枚数の合成画像を抽出する送信画像抽出処理を開始する（ステップＳ２１２）。
【０２２８】
具体的には、制御部３０は、コース情報テーブル２４ｅの携帯配信枚数欄の値を取得可能枚数として、６枚の合成画像から取得可能枚数の合成画像をランダムに抽出して一時記憶する。  
この際、制御部３０は、取得可能枚数の合成画像に対して１つの固有情報である１つのＩＤ情報を付与するとともに、抽出された取得可能枚数の合成画像にＩＤ情報を関連付けて一時記憶する。
【０２２９】
例えば、利用者が選択した撮影コースが「Ａコース」の場合、コース情報テーブル２４ｂの追加課金欄が「有効」で、撮影枚数欄に「６枚」が登録され、携帯配信枚数欄に「２枚」が登録されているため、制御部３０は、取得可能枚数を２枚として、６枚の合成画像から２枚の合成画像をランダムに抽出するとともに、ＩＤ情報を関連付けて一時記憶する。
【０２３０】
一方、課金カウントＴが「１」より小さい場合、すなわち課金カウントＴが「０」の場合（ステップＳ２１１：Ｙｅｓ）、制御部３０は、送信画像抽出処理をスキップして処理を進める。  
送信画像抽出処理を終了する、あるいは課金カウントＴが「０」の場合、制御部３０は、残りの合成画像を携帯端末２で取得するかを利用者に問い合わせて、取得を所望する利用者の課金を受付ける追加課金処理を開始する（ステップＳ２１３）。
【０２３１】
詳述すると、追加課金処理を開始した制御部３０は、図２５に示すように、コース情報テーブル２４ｅを参照して、利用者が選択された撮影コースに対応する追加課金欄に「有効」が登録されているか否かを判定する（ステップＳ２５１）。
【０２３２】
追加課金欄に「有効」が登録されている場合（ステップＳ２５１：Ｙｅｓ）、制御部３０は、コース情報テーブル２４ｅの携帯配信追加枚数欄に登録された増加枚数だけ取得可能枚数を増加させることを許容する撮影コースが選択されていると判定する。
【０２３３】
さらに、制御部３０は、利用者が選択した撮影コースに対応するコース情報テーブル２４ｅの撮影枚数欄、携帯配信枚数欄、及び携帯配信追加枚数欄を参照して、携帯配信枚数欄の値と携帯配信追加枚数欄の値とを加算した値が、撮影枚数欄の値に等しいか否かを判定する（ステップＳ２５２）。
【０２３４】
携帯配信枚数欄の値と携帯配信追加枚数欄の値とを加算した値が、撮影枚数欄の値と等しくない場合（ステップＳ２５２：Ｎｏ）、制御部３０は、追加画像抽出処理を開始して（ステップＳ２５３）、図２３のステップＳ２１２の送信画像抽出処理で抽出されなかった複数枚の合成画像から、携帯配信追加枚数欄に登録された枚数の合成画像をランダムに抽出する。そして、制御部３０は、ランダムに抽出した合成画像を、残りの合成画像として一時記憶する。
【０２３５】
一方、携帯配信枚数欄の値と携帯配信追加枚数欄の値とを加算した値が、撮影枚数欄の値と等しい場合（ステップＳ２５２：Ｙｅｓ）、制御部３０は、図２３のステップＳ２１２の送信画像抽出処理で抽出されなかった全ての合成画像を、残りの合成画像として一時記憶する。  
その後、制御部３０は、残りの合成画像を携帯端末２に送信するか否かを利用者に問い合わせる問合せ画面を、タブレット内蔵モニタ１５に表示させる（ステップＳ２５４）。
【０２３６】
なお、詳細な図示を省略するが、問合せ画面には、「残り画像も携帯送信する？」というメッセージ、及びタイムアウトまでの残り時間が画面上部に表示され、その下方に図２３のステップＳ２１２の送信画像抽出処理でランダムに抽出された複数枚の合成画像が携帯端末２に提供される提供画像４１ａとして表示されるとともに、残りの合成画像が表示され、さらにその下方に押下されることで残りの合成画像の携帯送信を行わないキャンセルボタンと、押下されることで残りの合成画像の携帯送信を行うＯＫボタンとが表示されているものとする。
【０２３７】
さらに、ＯＫボタンには、コース情報テーブル２４ｅにおける利用者が選択した撮影コースの追加料金欄に登録された料金が重ね合わせるように表示されている。  
例えば、実施例２では、利用者が選択した撮影コースが「Ａコース」の場合、コース情報テーブル２４ｅの携帯配信追加枚数欄が「４枚」で、追加料金欄が「２００円」であるため、４枚の合成画像が問合せ画面に表示されるとともに、ＯＫボタンに「２００円」が表示される。
【０２３８】
問合せ画面を表示すると、制御部３０は、タッチペン１６を操作した利用者によってＯＫボタンが押下されたか否かを判定する（ステップＳ２５５）。利用者によってＯＫボタンが押下された場合（ステップＳ２５５：Ｙｅｓ）、制御部３０は、図２３のステップＳ２０６において、二次元コードを用いた認証が完了済みか否かを判定する（ステップＳ２５６）。
【０２３９】
二次元コードを用いた認証が完了していない場合、すなわち二次元コードによる認証が行われていない、もしくはエラー等で完了していない場合（ステップＳ２５６：Ｎｏ）、制御部３０は、利用者による硬貨の追加投入を受付ける硬貨追加受付処理を開始する（ステップＳ２５７）。なお、硬貨追加受付処理は、上述した実施例１における図１０のステップＳ１６３の硬貨追加受付処理と同様の処理のため、その詳細な説明を省略する。
【０２４０】
その後、制御部３０は、硬貨追加投入案内画面の指示にしたがって追加料金分の硬貨が、利用者によって硬貨受付部１７に全て投入されたか否かを判定する（ステップＳ２５８）。追加料金分の硬貨が、利用者によって硬貨受付部１７に全て投入されていない場合（ステップＳ２５８：Ｎｏ）、制御部３０は、利用者による硬貨の投入が完了するまで、処理を待機する。
【０２４１】
一方、硬貨追加投入案内画面の指示にしたがって追加料金分の硬貨が、利用者によって硬貨受付部１７に全て投入された場合（ステップＳ２５８：Ｙｅｓ）、制御部３０は、投入口の閉鎖を硬貨受付部１７に指示したのち、提供画像決定処理を開始する（ステップＳ２５９）。
【０２４２】
具体的には、制御部３０は、残りの合成画像と、図２３のステップＳ２１２で抽出された取得可能枚数の合成画像とを、携帯端末２に提供画像４１ａとして提供される新しい取得可能枚数の合成画像として決定する。
【０２４３】
より詳しくは、携帯配信枚数欄の値と携帯配信追加枚数欄の値とを加算した値が、撮影枚数欄の値と等しい場合（ステップＳ２５２：Ｙｅｓ）、制御部３０は、図２３のステップＳ２１２の送信画像抽出処理で抽出されなかった残りの合成画像と、図２３のステップＳ２１２で抽出された取得可能枚数の合成画像とを、携帯端末２に提供画像４１ａとして提供される新しい取得可能枚数の合成画像として決定する。
【０２４４】
あるいは、携帯配信枚数欄の値と携帯配信追加枚数欄の値とを加算した値が、撮影枚数欄の値と等しくない場合（ステップＳ２５２：Ｎｏ）、制御部３０は、ステップＳ２５３の追加画像抽出処理で抽出された残りの合成画像と、図２３のステップＳ２１２で抽出された取得可能枚数の合成画像とを、携帯端末２に提供画像４１ａとして提供される新しい取得可能枚数の合成画像として決定する。
【０２４５】
この際、制御部３０は、新しい取得可能枚数の合成画像に対して１つの固有情報である１つのＩＤ情報を付与するとともに、ＩＤ情報を関連付けて取得可能枚数の合成画像を一時記憶する。
【０２４６】
例えば、利用者が選択した撮影コースが「Ａコース」の場合、コース情報テーブル２４ｅの追加課金欄が「有効」で、撮影枚数欄が「６枚」で、携帯配信枚数欄が「２枚」で、携帯配信追加枚数欄が「４枚」であるため、制御部３０は、図２３のステップＳ２１２で抽出された２枚の合成画像に、残りの合成画像、すなわち４枚の合成画像を加えた計６枚の合成画像を、新しい取得可能枚数の合成画像として決定する。
【０２４７】
あるいは、利用者が選択した撮影コースが「Ｃコース」の場合、コース情報テーブル２４ｅの追加課金欄が「有効」で、撮影枚数欄が「６枚」で、携帯配信枚数欄が「２枚」で、携帯配信追加枚数欄が「３枚」であるため、制御部３０は、図２３のステップＳ２１２で抽出された２枚の合成画像に、残りの合成画像、すなわち３枚の合成画像を加えた計５枚の合成画像を、新しい取得可能枚数の合成画像として決定する。
【０２４８】
新しい取得可能枚数の合成画像を決定すると、制御部３０は、課金カウントＴに「１」を加えて、新しい課金カウントＴとする（ステップＳ２６０）。その後、制御部３０は、追加課金処理を終了して、図２３のステップＳ２１３に処理を戻す。  
また、図２５のステップＳ２５６において、二次元コードを用いた認証が完了済みの場合（ステップＳ２５６：Ｙｅｓ）、制御部３０は、処理をステップＳ２５９に進めて、提供画像決定処理を開始する。
【０２４９】
また、図２５のステップＳ２５１において、利用者が選択した撮影コースの追加課金欄が「無効」の場合（ステップＳ２５１：Ｙｅｓ）、あるいは図２５のステップＳ２５５において、ＯＫボタンが押下されず、キャンセルボタンが押下された場合（ステップＳ２５５：Ｎｏ）、制御部３０は、提供画像決定処理を開始する（ステップＳ２６１）。
【０２５０】
ステップＳ２５９の提供画像決定処理と異なり、ステップＳ２６１の提供画像決定処理を開始すると、制御部３０は、図２３のステップＳ２１２の送信画像抽出処理でランダムに抽出された取得可能枚数の合成画像を、携帯端末２に提供画像４１ａとして提供される取得可能枚数の合成画像として決定する。
【０２５１】
この際、制御部３０は、取得可能枚数の合成画像に対して１つの固有情報である１つのＩＤ情報を付与するとともに、ＩＤ情報を関連付けて取得可能枚数の提供画像を一時記憶する。  
その後、制御部３０は、課金カウントＴに「１」を加えたのち、追加課金処理を終了して、図２３のステップＳ２１３に処理を戻す。
【０２５２】
図２３のステップＳ２１３に戻り、追加課金処理を終了すると、制御部３０は、利用者が選択した撮影コースが編集可能な撮影コースか否かを判定し（ステップＳ２１４）、コース情報テーブル２４ｂの編集欄が「有効」の場合（ステップＳ２１４：Ｙｅｓ）、編集受付処理を開始し（ステップＳ２１５）、編集可能な撮影コースでない場合（ステップＳ２１４：Ｎｏ）、編集受付処理をスキップして処理を進める。
【０２５３】
なお、ステップＳ２１４、及びステップＳ２１５の処理は、上述した実施例１におけるステップＳ１１１、及びステップＳ１１２と同様の処理のため、その詳細な説明を省略する。  
その後、制御部３０は、ステップＳ２１３の追加課金処理で、利用者による追加料金の支払いを受付けたか否かを判定する（ステップＳ２１６）。
【０２５４】
利用者による追加料金の支払いを受付けていない場合（ステップＳ２１６：Ｎｏ）、制御部３０は、追加課金処理を開始して（ステップＳ２１７）、ステップＳ２１２の送信画像抽出処理によって選択されなかった合成画像を携帯端末２で取得するための課金を再度受付ける。
【０２５５】
この追加課金処理は、上述したステップＳ２１３における追加課金処理と同じ処理のため、その詳細な説明を省略する。  
一方、ステップＳ２１６において、利用者による追加料金の支払いを受付け済みの場合（ステップＳ２１６：Ｙｅｓ）、制御部３０は、ステップＳ２１７の追加課金処理をスキップして処理を進める。
【０２５６】
ステップＳ２１７の追加課金処理を終了する、あるいは利用者による追加料金の支払いを受付け済みの場合、制御部３０は、宛先受付処理を開始して（ステップＳ２１８）、利用者によるメールアドレスの入力操作を受付けたのち、送信処理を開始して（ステップＳ２１９）、図２５のステップＳ２５９またはステップＳ２６１の提供画像決定処理で決定された取得可能枚数の合成画像と、ステップＳ２１８の宛先受付処理で受付けた宛先情報と、ステップＳ２１３またはステップＳ２１７の追加課金処理で付与したＩＤ情報とを関連付けて、配信サーバ４に通信回線５を介して送信する。
【０２５７】
提供画像を配信サーバ４に送信すると、制御部３０は、印刷処理を開始して（ステップＳ２２０）、印刷画像をシール紙２９ａに印刷したのち、シール排出処理を開始して（ステップＳ２２１）、完成した写真シールを写真シール排出口１８から排出して利用者に提供することで、１回の写真シール作成ゲーム処理を終了する。  
なお、ステップＳ２１８からステップＳ２２１の処理は、上述した実施例１における図７のステップＳ１１３からステップＳ１１６と同様の処理のため、その詳細な説明を省略する。
【０２５８】
このようにして携帯端末２で提供画像４１ａとして取得される取得可能枚数の合成画像を、写真シール作成装置３から配信サーバ４に送信する。  
そして、提供画像４１ａを取得するためのウェブサイトのＵＲＬを示すＵＲＬ情報が記載されたメールを取得すると、利用者は、携帯端末２を操作して、配信サーバ４にアクセスする。その後、携帯端末２に表示された画面にしたがって、利用者が携帯端末２を操作することで、利用者は、配信サーバ４に記憶された取得可能枚数の提供画像４１ａを携帯端末２に取得させる。
【０２５９】
なお、配信サーバ４に送信した取得可能枚数の合成画像を、提供画像４１ａとして利用者の携帯端末２に取得させる方法は、上述した実施例１の図２１におけるステップＳ１８１からステップＳ１８９と同様のため、その詳細な説明を省略する。
【０２６０】
以上のような動作を実現する写真シール作成装置３、写真シール作成方法、及び写真シール作成プログラムは、上述した実施例１と同様の効果を奏することができる。  
また、例えば、図２５のステップＳ２５２において、コース情報テーブル２４ｅの携帯配信枚数欄の値と携帯配信追加枚数欄の値とを加算した値が、撮影枚数欄の値と等しくならない場合、残りの合成画像、すなわち携帯配信追加枚数欄に登録された値（ｍ枚）の合成画像を、図２３のステップＳ２１２の送信画像抽出処理で抽出されなかった複数枚の合成画像からランダムに抽出する制御部３０を備えたことにより、写真シール作成装置３は、回転率の低下を抑えて収益性の向上を図ることができる。
【０２６１】
具体的には、例えば、図２３のステップＳ２１２の送信画像抽出処理で抽出されなかった複数枚の合成画像からｍ枚の合成画像を利用者が選択決定する場合、複数枚の合成画像からｍ枚の合成画像を迷いながら選択決定し易くなる。このため、ｍ枚の合成画像が決定されるまでに要する時間が長くなり、写真シール作成装置３の回転率が低下するおそれがある。
【０２６２】
これに対して、写真シール作成装置３の制御部３０が、ｍ枚の合成画像を抽出決定するため、写真シール作成装置３は、ｍ枚の合成画像が決定されるまでに要する時間を短縮することができる。これにより、写真シール作成装置３は、利用者による追加課金を受付けたことによる回転率の低下を抑えることができる。
【０２６３】
さらに、例えば、複数枚の合成画像からｍ枚の合成画像をランダムに決定する様子をタブレット内蔵モニタ１５に表示することで、写真シール作成装置３は、利用者をより楽しませることができる。  
従って、写真シール作成装置３は、利用者による追加課金を受付けた場合、４枚の合成画像から３枚の合成画像を抽出決定する追加画像抽出処理部（制御部３０）により、回転率の低下を抑えて収益性の向上を図ることができる。
【０２６４】
また、図２３のステップＳ２１２において、コース情報テーブル２４ｅの携帯配信枚数欄の値をｎ枚として、６枚の合成画像からｎ枚の合成画像をランダムに抽出する制御部３０を備えたことにより、写真シール作成装置３は、回転率の低下をより抑えて収益性の向上を図ることができる。
【０２６５】
具体的には、追加課金の有無に関わらず利用者の携帯端末２に提供画像４１ａとして提供されるｎ枚の合成画像が６枚の合成画像から利用者によって選択決定される場合、利用者が、６枚の合成画像からｎ枚の合成画像を迷いながら選択決定し易くなる。このため、ｎ枚の合成画像が決定されるまでに要する時間が長くなり、写真シール作成装置３の回転率が低下するおそれがある。
【０２６６】
これに対して、追加課金の有無に関わらず利用者の携帯端末２に提供画像４１ａとして提供されるｎ枚の合成画像を制御部３０が抽出決定するため、写真シール作成装置３は、ｎ枚の合成画像が決定されるまでに要する時間を短縮することができる。これにより、写真シール作成装置３は、回転率の低下を抑えることができる。
【０２６７】
さらに、制御部３０がｎ枚の合成画像を６枚の合成画像から抽出決定することで、写真シール作成装置３は、利用者が所望する合成画像と、利用者が所望しない合成画像とを混在させて抽出決定することができる。このため、選択されなかった合成画像を取得したい利用者の増加を期待できるため、写真シール作成装置３は、追加課金による収益の向上を期待することができる。
【０２６８】
加えて、例えば、６枚の合成画像からｎ枚の合成画像を写真シール作成装置３がランダムに抽出決定する様子をタブレット内蔵モニタ１５に表示することで、写真シール作成装置３は、ｎ枚の合成画像の決定を待つ利用者をより楽しませることができる。
【０２６９】
従って、写真シール作成装置３は、追加課金の有無に関わらず利用者の携帯端末２に提供画像４１ａとして提供されるｎ枚の合成画像を６枚の合成画像から抽出決定する制御部３０により、回転率の低下をより抑えて収益性の向上を図ることができる。
【０２７０】
また、携帯端末２で取得可能な提供画像４１ａの取得可能枚数、及び取得可能枚数の増加の可否が、撮影コースに関連付けられたことにより、写真シール作成装置３は、回転率の向上をより図ることができるとともに、利用者の利便性をさらに向上させることができる。
【０２７１】
具体的には、例えば、コース情報テーブル２４ｅにおける携帯配信枚数欄の値だけが異なる複数の撮影コースを設定することで、写真シール作成装置３は、所望する枚数の撮影コースを選択した利用者が、追加課金を行う手間を省くことができる。
【０２７２】
あるいは、携帯端末２で取得できる提供画像４１ａの追加を所望しない利用者のニーズに応じて、コース情報テーブル２４ｅの追加課金欄に無効が登録された撮影コースを設定することで、写真シール作成装置３は、携帯端末２で取得できる提供画像４１ａの増加に関する問い合わせや、硬貨受付部１７による硬貨の追加投入の受付けを不要にすることができる。
【０２７３】
従って、写真シール作成装置３は、携帯端末２で取得可能な提供画像４１ａの取得可能枚数、及び取得可能枚数の増加の可否が、撮影コースに関連付けられたことにより、回転率の向上をより図ることができるとともに、利用者の利便性をさらに向上させることができる。
【０２７４】
また、図２５の追加課金処理において、二次元コードを用いた認証が完了済みの場合（ステップＳ２５６：Ｙｅｓ）、制御部３０は、ステップＳ２５７の硬貨追加受付処理をスキップして提供画像決定処理を開始する構成としたことにより、写真シール作成装置３は、二次元コードを所有している利用者による追加料金の支払いを不要にして、新しい取得可能枚数の合成画像を提供画像４１ａとして利用者の携帯端末２に提供することができる。
【０２７５】
これにより、写真シール作成装置３は、写真シール作成装置３が設置された映画館を利用した利用者に対して、写真シール作成ゲーム、写真シール、及び提供画像４１ａを安価に提供でき、遊技性の向上、及び利便性の向上を図ることができる。
【０２７６】
この発明の構成と、上述の実施形態との対応において、
この発明の撮影部は、実施形態のカメラ１１に対応し、
以下同様に、
所有端末は、携帯端末２に対応し、
所定画像は、合成画像に対応し、
サーバは、配信サーバ４に対応し、
回線接続部は、通信部２３に対応し、
撮影制御部は、図８のステップＳ１２４、及びステップＳ１３０を実行する制御部３０に対応し、
端末特定情報は、宛先情報に対応し、
画像送信制御部は、図７のステップＳ１１４を実行する制御部３０、及び図２３のステップＳ２１９を実行する制御部３０に対応し、
画像提供装置は、写真シール作成装置３に対応し、
貨幣は、硬貨に対応し、
第１貨幣受付部、及び第２貨幣受付部は、硬貨受付部１７に対応し、
表示部は、タブレット内蔵モニタ１５に対応し、
問合せ処理部は、図１０のステップＳ１６１を実行する制御部３０、及び図２５のステップＳ２５４を実行する制御部３０に対応し、
操作受付部、コース選択受付部、及び編集操作受付部は、タブレット内蔵モニタ１５、及びタッチペン１６に対応し、
追加貨幣投入判定処理部は、図１０のステップＳ１６２：ＹｅｓからステップＳ１６４を実行する制御部３０、並びに図２５のステップＳ２５５：Ｙｅｓ、ステップＳ２５７、及びステップＳ２５８を実行する制御部３０に対応し、
現在の前記取得可能枚数は、携帯配信枚数欄に登録された枚数に対応し、
新しい取得可能枚数は、携帯配信枚数欄に登録された枚数に、携帯配信追加枚数欄に登録された枚数を加算した枚数に対応し、
取得枚数変更処理部は、図１０のステップＳ１６４：Ｙｅｓ、及びステップＳ１６５を実行する制御部３０、並びに図２５のステップＳ２５８：Ｙｅｓ、及びステップＳ２５９を実行する制御部３０に対応し、
Ｎ枚は、撮影枚数欄に登録された枚数に対応し、
ｎ枚は、携帯配信枚数欄に登録された枚数に対応し、
ｍ枚は、携帯配信追加枚数欄に登録された枚数に対応し、
追加画像抽出処理部は、図２５のステップＳ２５３を実行する制御部３０に対応し、
画像抽出処理部は、図２３のステップＳ２１２を実行する制御部３０に対応し、
合成用画像は、通常合成用画像２４ｃ、及び二次元コード対応合成用画像２４ｄに対応し、
合成用画像記憶部は、記憶部２４に対応し、
合成画像出力処理部は、図８のステップＳ１２５、及びステップＳ１３１を実行する制御部３０に対応し、
問合せ工程、及び問合せステップは、図１０のステップＳ１６１、及び図２５のステップＳ２５４に対応し、
追加貨幣投入判定工程、及び追加貨幣投入判定ステップは、図１０のステップＳ１６２：ＹｅｓからステップＳ１６４、並びに図２５のステップＳ２５５：Ｙｅｓ、ステップＳ２５７、及びステップＳ２５８に対応し、
取得枚数変更工程、及び取得枚数変更ステップは、図１０のステップＳ１６４：Ｙｅｓ、及びステップＳ１６５、並びに図２５のステップＳ２５８：Ｙｅｓ、及びステップＳ２５９に対応するが、
この発明は、上述の実施形態の構成のみに限定されるものではなく、多くの実施の形態を得ることができる。
【０２７７】
例えば、上述した実施形態において、硬貨の投入を受付ける構成としたが、これに限定せず、紙幣、あるいは電子取引で用いられる電子貨幣や仮想紙幣を受付ける構成としてもよい。この場合、硬貨受付部１７に換えて、あるいは硬貨受付部１７に加えて、紙幣、電子貨幣、あるいは仮想紙幣を受付け可能な受付部を、写真シール作成装置３の適宜の位置に配置する。
【０２７８】
また、携帯端末２に提供画像４１ａとして提供される取得可能枚数の合成画像を、全て異なる合成画像としたが、これに限定せず、全て同じ合成画像、あるいは複数枚のうち一部が同じ合成画像であってもよい。  
また、利用者によって選択される印刷レイアウトは、上述した実施形態に限定されず、例えば、コース情報テーブル２４ｂ，２４ｅの撮影枚数欄、シール画像枚数欄、携帯配信枚数欄、及び携帯配信追加枚数欄に登録された値に応じて、適宜のレイアウトとしてもよい。
【０２７９】
また、利用者が選択した合成用画像と、利用者を撮像した撮影画像とを合成した合成画像を、携帯端末２で取得可能な提供画像４１ａとしたが、これに限定せず、配信サーバ４に送信される画像、すなわち携帯端末２で取得可能な提供画像４１ａを、利用者を撮影した撮影画像としてもよい。  
この場合、写真シール作成装置３は、利用者の利便性を損なうことなく、利用が制限された画像の不正使用を防止することができる。
【０２８０】
具体的には、例えば、写真シール作成装置では、利用者を撮影した撮影画像に、キャラクター画像や人物画像などの合成用画像（二次元コード対応合成用画像２４ｄ）を合成した写真シールを提供しているものがある。このようなキャラクター画像や人物画像などの合成用画像（二次元コード対応合成用画像２４ｄ）は、デジタルコンテンツとして権利者から提供されていることが多いため、合成用画像（二次元コード対応合成用画像２４ｄ）の提供元からの要望によって、その利用に関して厳しく制限されていることがある。
【０２８１】
そこで、携帯端末２で取得可能な提供画像４１ａを撮影画像としたことにより、写真シール作成装置３は、少なくとも利用者を撮影した撮影画像を提供画像４１ａとして提供する一方で、利用が制限された合成用画像（二次元コード対応合成用画像２４ｄ）が携帯端末２に提供されることを防止できる。
【０２８２】
従って、写真シール作成装置３は、携帯端末２に提供される提供画像４１ａを撮影画像としたことにより、利用者の利便性を損なうことなく、利用が制限された合成用画像（二次元コード対応合成用画像２４ｄ）の不正使用を防止することができる。
【０２８３】
あるいは、利用者による編集操作によって編集された合成画像を編集画像として制御部３０が出力する構成として、配信サーバ４に送信される画像、すなわち携帯端末２で取得可能な提供画像４１ａを、編集画像としてもよい。この場合、写真シール作成装置３は、利用者にとって付加価値の高い提供画像４１ａを、利用者の携帯端末２に提供できるとともに、より集客効果を得ることができる。
【０２８４】
さらに、写真シール作成装置３は、利用者にとって付加価値の高い提供画像４１ａを利用者の携帯端末２に提供することで、追加課金に抵抗感のある利用者であっても、提供画像４１ａの取得をより所望させることができる。  
これにより、より多くの提供画像４１ａの取得を所望する利用者の増加を期待できるため、写真シール作成装置３は、追加課金による収益の向上を期待することができる。
【０２８５】
従って、写真シール作成装置３は、携帯端末２に提供される提供画像４１ａを編集画像としたことにより、集客効果、及び追加課金による収益性の向上を図るとともに、利用者の利便性をより向上することができる。  
もしくは、携帯端末２で取得可能な提供画像４１ａを、撮影画像、合成画像、及び編集画像を利用者が選択した印刷レイアウトに応じて配置して作成された印刷画像としてもよい。
【０２８６】
あるいは、携帯端末２で取得可能な複数枚の提供画像４１ａを、撮影画像、合成画像、編集画像、及び印刷画像を適宜に組み合わせたものとしてもよい。この場合、利用者によって選択された画像の組合せ、ランダムに抽出した画像の組合せ、または利用者によって選択された画像とランダムに抽出した画像との組み合わせとしてもよい。  
例えば、宛先受付処理（図７のステップＳ１１３、及び図２３のステップＳ２１８）を開始する前に、写真シール作成装置３で作成した利用者が撮像された複数の画像（撮影画像、合成画像、編集画像、印刷画像）を表示して、コース情報テーブル２４ｂ，２４ｅの携帯配信枚数欄に登録された枚数の画像を利用者に選択させる。さらに、利用者に選択されなかった残りの画像のうち一部をランダムに抽出して、携帯端末２で取得するか否かを利用者に問い合わせるようにする。
【０２８７】
また、写真シール作成装置３における１回の写真シール作成ゲームを、複数の利用者が同時に利用することが想定される。この場合、残りの合成画像を携帯端末２で取得するか否かを、利用者ごとに問い合わせてもよい。  
より詳しくは、図１０の追加課金処理におけるステップＳ１６１、及び図２５の追加課金処理におけるステップＳ２５４において、利用者による選択押下を受付ける複数のＯＫボタン、及び複数のキャンセルボタンを問合せ画面５７０に表示して、残りの合成画像を携帯端末２で取得するか否かを、複数の利用者ごとに問い合わせる構成としてもよい。そして、利用者による硬貨の追加投入を受付けた場合、制御部３０は、残りの合成画像の取得を所望する利用者の取得可能枚数を増加させる。
【０２８８】
これにより、写真シール作成装置３は、例えば、より多くの枚数の提供画像４１ａを所望する利用者と、多くの枚数の提供画像４１ａを所望しない利用者とが同時に利用した場合であっても、各利用者のニーズに対応することができる。これにより、写真シール作成装置３は、複数の利用者に対する利便性を向上することができる。  
さらに、例えば、利用者が二人であれば、制御部３０は、配信サーバ４に送信される複数枚の合成画像に、２つのＩＤ情報を関連付けるとともに、２つのＩＤ情報をシール紙２９ａに印字させる。これにより、写真シール作成装置３は、利用者ごとに異なる複数枚の提供画像４１ａを携帯端末２へ容易に提供できるだけでなく、１つの写真シールを２人の利用者で分割しても、それぞれの利用者がＩＤ情報を容易に確認することができる。
【０２８９】
また、例えば、１回の写真シール作成ゲームを、Ｋ人の利用者が同時に利用する場合、残りの合成画像を携帯端末２で取得するか否かを、１回の写真シール作成ゲーム処理においてＫ回問い合わせる構成としてもよい。  
なお、この際、例えば、カメラ１１から取得した画像データに基づいた顔認証によって、制御部３０が、利用者の人数を特定してもよい。あるいは、宛先受付処理（図７のステップＳ１１３、及び図２３のステップＳ２１８）を、撮影処理（図７のステップＳ１０８、及び図２３のステップＳ２０８）の前に開始して、利用者の人数を、受付けた宛先情報の数に基づいて特定してもよい。
【０２９０】
また、コース情報テーブル２４ｂ，２４ｅのシール画像枚数欄に予め登録された枚数の合成画像をシール紙２９ａに印刷する構成としたが、これに限定せず、取得可能枚数の合成画像を、シール紙２９ａに収まるように配置してプリンタ２８に印刷させる制御部３０を備えた構成としてもよい。
【０２９１】
例えば、上述した実施例２における図２３の写真シール作成ゲームにおいて、ステップＳ２０８の撮影処理後、制御部３０が、ステップＳ２１０、ステップＳ２１１、及びステップＳ２１２を経て、ステップＳ２１３の追加課金処理を行ったのち、ステップＳ２０９の印刷画像作成処理を開始する。
【０２９２】
この際、制御部３０は、コース情報テーブル２４ｅのシール画像枚数欄に登録された枚数ではなく、ステップＳ２１３の追加課金処理で決定した携帯端末２に提供画像４１ａとして提供される合成画像の取得可能枚数を、シール紙２９ａに印刷される合成画像の枚数として決定する。
【０２９３】
これにより、写真シール作成装置３は、利用者による追加課金を受付けた場合、携帯端末２に提供される提供画像４１ａの枚数だけでなく、シール紙２９ａに印刷される合成画像の枚数を増加することができる。これにより、写真シール作成装置３は、追加課金によって利用者が取得できるものを増やすことができる。
【０２９４】
従って、写真シール作成装置３は、取得可能枚数に応じた合成画像をシール紙２９ａに印刷させる制御部３０により、集客効果による収益性の向上を図るとともに、利用者の利便性をより向上することができる。
【０２９５】
また、図１０の追加課金処理におけるステップＳ１６１、及び図２５の追加課金処理におけるステップＳ２５４において、残りの合成画像を携帯端末２に送信するか否かを利用者に問い合わせる問合せ画面５７０に、キャンセルボタン５７２と、ＯＫボタン５７３とを同時に表示して、利用者による選択押下を促したが、これに限定せず、適宜の構成で、利用者による選択押下を促してもよい。
【０２９６】
例えば、ＯＫボタン５７３、及びタイムアウトまでの残り時間を問合せ画面に表示して、残り時間が「０秒」となった場合、残りの合成画像を携帯端末２へ送信しない構成としてもよい。  
もしくは、キャンセルボタン５７２、及びタイムアウトまでの残り時間を問合せ画面に表示して、残り時間が「０秒」となった場合、残りの合成画像の取得を利用者が所望するものとして、処理を進める構成としてもよい。
【０２９７】
あるいは、ＯＫボタン５７３が表示された第１問合せ画面を表示したのち、所定時間経過後、キャンセルボタン５７２が表示された第２問合せ画面を表示して、利用者による選択押下を促す、またはキャンセルボタン５７２が表示された第１問合せ画面を表示したのち、所定時間経過後、ＯＫボタン５７３が表示された第２問合せ画面を表示して、利用者による選択押下を促してもよい。
【０２９８】
また、コース情報テーブル２４ｂ，２４ｅに、３つの撮影コースを登録したが、これに限定せず、適宜の数の撮影コースが登録されたコース情報テーブルとしてもよい。この際、コース情報テーブルの撮影コースは、様々な権利が提供元にある合成用画像の利用可否、撮影枚数、落書きなどの編集操作の受付け可否、編集可能な画像の枚数、携帯端末２への配信可否、利用者を撮影する際の撮影画角（全身またはアップ）、コラージュ撮影や動画などの特殊撮影の可否、あるいはポーズガイドの有無を、適宜に組み合わせてコース分けされてもよい。そして、これらの組合せに応じて、追加課金欄、携帯配信枚数欄、追加料金欄、及び携帯配信追加枚数欄の値を適宜に設定してもよい。
【０２９９】
また、コース情報テーブル２４ｂ，２４ｅの撮影枚数欄に登録された範囲の枚数を、携帯端末２で取得可能な提供画像４１ａの取得可能枚数としたが、これに限定せず、例えば、合成画像の複製を許容して、コース情報テーブル２４ｂ，２４ｅの撮影枚数欄に登録された範囲の枚数よりも多い枚数を取得可能枚数としてもよい。
【０３００】
また、利用者が、携帯端末２で提供画像４１ａを取得するためのウェブサイトの有料会員か無料会員か、あるいは会員であるか否かを示す情報を登録する会員登録欄を、コース情報テーブル２４ｂ，２４ｅに設けて、会員登録欄の情報に基づいて追加料金欄に登録された金額を異ならせてもよい。
【０３０１】
また、図７の写真シール作成ゲームにおけるステップＳ１１３、及び図２３の写真シール作成ゲームにおけるステップＳ２１８の宛先受付処理後、すなわちシール紙２９ａに印刷画像を印刷する前のタイミングで、取得可能枚数の合成画像を配信サーバ４に送信する構成としたが、これに限定せず、コース情報テーブル２４ｂ，２４ｅの携帯配信枚数欄に登録された枚数の合成画像、及びコース情報テーブル２４ｂ，２４ｅの携帯配信追加枚数欄に登録された枚数の合成画像を、適宜のタイミングで配信サーバ４に送信してもよい。
【０３０２】
例えば、実施例１において、図７のステップＳ１０９の印刷画像作成処理で、利用者によって携帯配信枚数欄に登録された枚数の合成画像が決定されると、選択された合成画像を配信サーバ４に送信し、図７のステップＳ１１０の追加課金処理で、残りの合成画像の取得を所望する利用者による追加課金を受付けた場合、携帯配信追加枚数欄に登録された枚数の合成画像を、配信サーバ４に送信する構成としてもよい。
【０３０３】
あるいは、利用者の操作によって携帯端末２から提供画像４１ａの送信を要求された場合、配信サーバ４のサーバ制御部４３が、写真シール作成装置３に取得可能枚数の合成画像の送信を要求して、写真シール作成装置３から取得可能枚数の合成画像を取得する構成としてもよい。
【０３０４】
上述したいずれの場合においても、写真シール作成装置３の制御部３０は、携帯配信枚数欄に登録された枚数の合成画像に対して、撮影料金欄に登録された料金で取得できる合成画像であることを示す情報を関連付けるとともに、携帯配信追加枚数欄に登録された枚数の合成画像に対して、追加料金欄に登録された料金で取得できる合成画像であることを示す情報を関連付けて配信サーバ４に送信する。これにより、配信サーバ４にアクセスした携帯端末２において、撮影料金欄に登録された料金で取得できる提供画像４１ａと、追加料金欄に登録された料金で取得できる提供画像４１ａとを容易に区別することができる。
【０３０５】
また、実施例１における図１０のステップＳ１６１、及び実施例２における図２５のステップＳ２５４において、問合せ画面５７０に表示される残りの合成画像を、利用者によって選択させない構成としたが、これに限定せず、問合せ画面に全ての残り合成画像を表示して、携帯端末２で取得を所望する合成画像を、利用者によって１枚ずつ選択可能にしてもよい。この際、問合せ画面５７０に、合成画像１枚あたりの単価を同時に表示するとともに、利用者によって選択された枚数に応じた合計金額を表示させる。
【０３０６】
また、実施例２における図２５のステップＳ２５３の追加画像抽出処理において、図２３のステップＳ２１２の送信画像抽出処理で抽出されなかった複数枚の合成画像から、携帯配信追加枚数欄に登録された枚数の合成画像をランダムに抽出して、残りの合成画像として一時記憶したが、これに限定せず、全ての合成画像（実施例２では６枚の合成画像）から、携帯配信追加枚数欄に登録された枚数の合成画像をランダムに抽出して残りの合成画像として一時記憶する構成としてもよい。
【０３０７】
また、携帯配信枚数欄に登録された枚数の合成画像に対して、撮影料金欄に登録された料金で取得できる合成画像であることを示す情報を関連付けるとともに、全ての合成画像を配信サーバ４に送信し、提供画像４１ａを取得するためのウェブサイトにアクセスした利用者に対して、残りの合成画像の取得を問い合わせる構成としてもよい。この場合、残りの合成画像を取得するための料金を、携帯端末２を用いた電子決済によって支払うことで、利用者が携帯端末２で取得できるようにする。
【０３０８】
また、コース情報テーブル２４ｂ，２４ｅの撮影料金欄に登録された料金で、全ての合成画像を提供画像４１ａとして携帯端末２に提供する構成として、撮影処理（図７のステップＳ１０８、図２３のステップＳ２０８）後の適宜のタイミングで、携帯端末２で取得する提供画像４１ａの取得可能枚数を減らすか否かを利用者に問い合わせて、取得可能枚数を減らす場合、減らした枚数分の料金を利用者に返金するとともに、減らした取得可能枚数を新しい取得可能枚数としてもよい。
【０３０９】
例えば、配信サーバ４を介して６枚の合成画像を携帯端末２に提供する提供画像４１ａとして構成とし、撮影処理後、制御部３０が、ランダムに抽出した４枚の合成画像を携帯端末２で取得するか否かを問い合わせる。そして、利用者による選択操作によって４枚の合成画像の取得が選択された場合、制御部３０は、硬貨受付部１７で受付けた料金のうち、合成画像２枚分の料金を返金するとともに、４枚の合成画像を新しい取得可能枚数の提供画像４１ａとしてもよい。
【０３１０】
また、残りの合成画像に対して利用者による追加料金の支払いを受付ける写真シール作成装置３としたが、これに限定せず、携帯端末２への提供画像４１ａの送信に対して、利用者による追加料金の支払いを受付ける写真シール作成装置としてもよい。
【０３１１】
また、写真シールを所望する利用者による全ての操作を、前部ユニット３ａのタブレット内蔵モニタ１５で受付ける構成の写真シール作成装置３としたが、これに限定せず、別の写真シール作成装置６の外観を示す図２６から図３０、及び写真シール作成装置６のブロック図を示す図３１のように、利用者が硬貨を投入して実際に撮影する、所謂、撮影ブースである撮影ユニット６１と、利用者を撮影した画像に対して利用者が落書きなどの編集作業を行う編集ユニット６２と、シール紙の排出を待つ利用者に対して広告などを表示する事後接客ユニット６３とで構成された写真シール作成装置６としてもよい。
【０３１２】
なお、図２６において、図中の右方向を写真シール作成装置６の前方とし、図中の左方向を写真シール作成装置６の後方とする。  
また、上述の実施形態における写真シール作成装置３と同じ機能を有する構成には、同じ符号を付して、その詳細な説明を省略する。
【０３１３】
撮影ユニット６１は、図２７及び図３０に示すように、利用者と対面するユニット前部６１ａに、カメラ１１と、照明装置６４と、タッチパネルモニタ６５と、スピーカ１４と、遊技の開始を所望する利用者による硬貨の投入を受付ける第１硬貨受付部６６とを備え、撮影空間Ｓを挟んでユニット前部６１ａと対向するユニット後部６１ｂの上部に背景カーテンユニット２２を備え、撮影空間Ｓ１の上部に照明装置６４を構成する天井ストロボ６４ｄ（図２６参照）を備えている。
【０３１４】
照明装置６４は、カメラ１１の上部に配置された中央上部ストロボ６４ａと、カメラ１１の上方、及び左右両側に配置された３つの傘状ストロボ６４ｂと、タッチパネルモニタ６５の下方に配置された箱状ストロボ６４ｃと、天井ストロボ６４ｄとで構成されている。この照明装置６４は、図３１に示すように、上述した実施形態の照明装置１２と同様に、制御部３０の指示により、撮影のタイミングに合わせて発光する機能を有している。
【０３１５】
タッチパネルモニタ６５は、図３１に示すように、制御部３０から指示にしたがって、カメラ１１が撮影した被写体の映像を、後述する合成用画像とともに表示する機能、遊戯の進行を案内する操作案内メッセージなどを表示する機能、及び遊戯にかかる利用者の各種操作を受け付ける機能などを有している。
【０３１６】
編集ユニット６２は、図２６、図２８、及び図３０に示すように、２組の利用者が同時に撮影画像に対して落書きなどの編集作業を行うことができる構成となっている。  
より詳しくは、編集ユニット６２は、図３０に示すように、利用者が写真シール作成装置６の右側から編集空間Ｓ２に入場して編集作業を行う第１編集部６２ａと、利用者が写真シール作成装置６の左側から編集空間Ｓ３に入場して編集作業を行う第２編集部６２ｂとが、左右方向で互いに異なる方向に向けて配置した構成となっている。
【０３１７】
この第１編集部６２ａと第２編集部６２ｂは、図２８及び図３１に示すように、同一の構成であり、上述した実施形態におけるタブレット内蔵モニタ１５に相当するタブレット内蔵モニタ６７と、１対のタッチペン６８と、制御部３０からの音声信号にしたがって、編集作業にかかる進行を案内する音声などを出力する機能を有するスピーカ６９と、利用者による追加課金を受付ける第２硬貨受付部７０とを備えている。
【０３１８】
事後接客ユニット６３には、図２９から図３１に示すように、編集ユニット６２から事後接客空間Ｓ４に移動した利用者に対して、広告やゲームなどのサービスを提供する構成となっている。  
より詳しくは、事後接客ユニット６３は、上述した実施形態における広告部３４のスピーカ２０に相当するスピーカ７１と、上述した実施形態における広告部３４の広告用モニタ１９としての機能に加え、シール紙２９ａの排出を待つ利用者に対してタッチ操作によるゲームなどを表示する機能を有するタッチパネルモニタ７２と、写真シールが排出されるシール排出口１８を、上方からこの順番で備えている。
【０３１９】
このような写真シール作成装置６において、上述した実施例１及び実施例２の動作を制御部３０が実行することにより、写真シール作成装置６、写真シール作成方法、及び写真シール作成プログラムは、上述した実施形態と同様の効果を奏することができる。
【０３２０】
さらに、この写真シール作成装置６の場合、撮影空間Ｓ１で撮影を行う利用者に対して、残りの合成画像を携帯端末２で取得するかを問い合わせて、残りの合成画像の取得を利用者が所望しない場合、撮影空間Ｓから編集空間Ｓ２，Ｓ３に移動した利用者に対して、残りの合成画像を携帯端末２で取得するかを再度問い合わせてもよい。
【０３２１】
この際、撮影空間Ｓ１で撮影を行う利用者が残りの合成画像の取得を所望する場合、利用者による追加料金の支払いを第１硬貨受付部６６で受付けて、編集空間Ｓ２，Ｓ３に移動した利用者が残りの合成画像の取得を所望する場合、利用者による追加料金の支払いを第２硬貨受付部７０で受付ける構成とする。
【０３２２】
これにより、編集ユニット６２を利用している利用者が、残りの合成画像を取得したくなった場合でも、写真シール作成装置３、写真シール作成方法、及び写真シール作成プログラムは、利用者のニーズに容易に対応することができ、利用者の利便性の向上を図ることができる。
【産業上の利用可能性】
【０３２３】
この発明は、利用者が被写体として撮像された所定画像を提供画像として、サーバを介して、利用者が所有する所有端末に提供するための画像提供装置であって、写真シール作成装置や証明写真機になどに適用することができる。
【符号の説明】
【０３２４】
２…携帯端末
３…写真シール作成装置
４…配信サーバ
５…通信回線
６…写真シール作成装置
１１…カメラ
１５…タブレット内蔵モニタ
１６…タッチペン
１７…硬貨受付部
２３…通信部
２４…記憶部
２４ｃ…通常合成用画像
２４ｄ…二次元コード対応合成用画像
２８…プリンタ
２９ａ…シール紙
３０…制御部
６５…タッチパネルモニタ
６６…第１硬貨受付部
６７…タブレット内蔵モニタ
６９…第２硬貨受付部
Ｓ…撮影空間
Ｓ１…撮影空間
【図１】
2018173895.tif 000003
【図２】
2018173895.tif 000004
【図３】
2018173895.tif 000005
【図４】
2018173895.tif 000006
【図５】
2018173895.tif 000007
【図６】
2018173895.tif 000008
【図７】
2018173895.tif 000009
【図８】
2018173895.tif 000010
【図９】
2018173895.tif 000011
【図１０】
2018173895.tif 000012
【図１１】
2018173895.tif 000013
【図１２】
2018173895.tif 000014
【図１３】
2018173895.tif 000015
【図１４】
2018173895.tif 000016
【図１５】
2018173895.tif 000017
【図１６】
2018173895.tif 000018
【図１７】
2018173895.tif 000019
【図１８】
2018173895.tif 000020
【図１９】
2018173895.tif 000021
【図２０】
2018173895.tif 000022
【図２１】
2018173895.tif 000023
【図２２】
2018173895.tif 000024
【図２３】
2018173895.tif 000025
【図２４】
2018173895.tif 000026
【図２５】
2018173895.tif 000027
【図２６】
2018173895.tif 000028
【図２７】
2018173895.tif 000029
【図２８】
2018173895.tif 000030
【図２９】
2018173895.tif 000031
【図３０】
2018173895.tif 000032
【図３１】
2018173895.tif 000033